(57)【要約】本発明は、廃水配管システムと、臭気が廃水配管システムから漏れるのを防ぎながら廃水管低圧を等化する空気弁とに関する。空気弁は、ハウジング本体と、空気弁入力と、少なくとも１つの排水トラップを含む、下水システムなどの、部分的に空気を充填された廃水配管システムへの接続のための空気弁出力と、水路部分および弁座に面する表面を有する可動弁部材とを有する弁ハウジングを含む。空気弁は、動作中に、周囲の第１の圧力レベルと廃水配管システムの第２の圧力レベルとの間の圧力差に依存して第１の状態と第２の状態との間で切り替わることができる。【選択図】図１
2020501042.tif 000002
【特許請求の範囲】
【請求項１】
廃水配管システム（５）であって、
液体トラップ・シール（２５）を含むことのできる、下水管などの非垂直な廃水管（２２）と、
アダプタ（２００）と、
臭気が前記廃水配管システム（５）から漏れるのを防ぎながら、所定のしきい低圧値を超える廃水管低圧を等化する空気弁（１）と、を備え、
前記空気弁（１）は、弁ハウジング（１００）を有し、
前記弁ハウジング（１００）は、
ハウジング本体（１０５）と、
空気弁入力（１１０）と、
空気弁出力（１２０）と、
を含み、前記ハウジング本体（１０５）は、前記空気弁入力（１１０）と前記空気弁出力（１２０）との間に位置決めされ、前記ハウジング本体（１０５）は、前記空気弁入力（１１０）を前記空気弁出力（１２０）に流体的に接続する水路を形成し、
前記弁ハウジング（１００）は、
前記空気弁入力（１１０）に取り付けられた水路部分（１８０）と、
前記空気弁入力（１１０）に配置され、第１の水路部分（１８０）から前記ハウジング本体（１０５）への入口を囲む弁座（１４０）と、
前記ハウジング本体（１０５）の内部に可動に配置された可動弁部材（１３１）と、
をさらに含み、前記可動弁部材（１３１）は、前記水路部分（１８０）および前記弁座（１４０）に面する弁部材表面（１３３）を有し、
前記空気弁（１）は、動作中に、周囲の第１の圧力レベル（Ｐ１）と廃水配管システムの第２の圧力レベル（Ｐ２）との間の圧力差（ΔＰ）に依存して第１の状態と第２の状態との間で切り替わることができ、
前記可動弁部材（１３１）は、前記臭気が前記ハウジング本体（１０５）から出るのを防ぐために前記空気弁（１）が前記第１の状態にある時に前記弁座（１４０）に密閉的に乗るように適合され、
前記可動弁部材（１３１）は、前記空気弁（１）が前記第２の状態にある時に前記ハウジング本体（１０５）内で前記弁座（１４０）から離れて位置決めされ、前記圧力差（ΔＰ）が前記所定のしきい値を超える時に廃水管低圧を等化するために周囲空気が前記ハウジング本体（１０５）に入ることを許すように適合され、
前記空気弁出力（１２０）の横断面は、前記空気弁（１）が前記第２の状態にある時に、前記周囲空気が第１の仮想平面（Ａ）に実質的に垂直な出力平均流れ方向（ＭＡ）に流れるようにするために、前記第１の仮想平面（Ａ）を形成し、
前記弁座（１４０）は、第２の仮想平面（Ｂ）を画定し、
前記第１の仮想平面（Ａ）は、前記第２の仮想平面（Ｂ）に関して第１の角度（α）に配置され、前記第１の角度（α）は、４５度から１３５度までの範囲内の値を有し、
前記空気弁出力（１２０）は、前記空気弁（１）が建物（１０）の垂直壁（２６）の外側に取り付けられるようにするために、前記非垂直な廃水管（２２）の端部（２２Ａ）に前記アダプタ（２００）を介して接続される、廃水配管システム（５）。
【請求項２】
前記アダプタ（２００）は、前記空気弁（１）が前記第２の状態にある時に、前記周囲空気が前記第１の仮想平面（Ａ、Ａ’）に垂直な前記平均流れ方向で前記アダプタを介して前記非垂直な廃水管（２２）内に流れるように成形される、請求項１に記載の廃水配管システム（５）。
【請求項３】
前記空気弁（１）および前記アダプタ（２００）は、前記空気弁（１）が前記第２の状態にある時に、
前記周囲空気が、前記空気弁入力（１１０）を介して前記空気弁（１）内に入力平均流れ方向（ＭＣ）で流れ、その後、
前記周囲空気が、前記出力平均流れ方向（ＭＡ）で前記非垂直な廃水管（２２）に入るために前記空気弁（１）を介し、前記アダプタ（２００）を介して流れ、
平均流れ方向の変化を与え、平均流れ方向の前記変化は、１８０度未満であり、平均流れ方向の前記変化は、前記入力平均流れ方向と前記出力平均流れ方向との間の角度差である
ように成形され、組み立てられる、請求項１または２に記載の廃水配管システム（５）。
【請求項４】
平均流れ方向の前記変化は、１８０度未満である、請求項３に記載の廃水配管システム（５）。
【請求項５】
平均流れ方向の前記変化は、１３５度未満である、請求項３に記載の廃水配管システム（５）。
【請求項６】
平均流れ方向の前記変化は、少なくとも４５度である、請求項３に記載の廃水配管システム（５）。
【請求項７】
前記非垂直な廃水管（２２）は、平行な対向する内側側壁に沿った伸長方向（Ｅ２２）を有し、
前記空気弁出力（１２０）は、前記弁座（１４０）の前記平面（Ｂ）が前記伸長方向（Ｅ２２）に関して所定の角度（ｗ）に配置され、前記所定の角度（ｗ）が、−４５度から＋４５度の間の範囲内の値を有するようにするために、前記アダプタ（２００）を介して前記非垂直な廃水管（２２）の前記端部に接続される、請求項１から６のいずれかに記載の廃水配管システム（５）。
【請求項８】
前記非垂直な廃水管（２２）は、建物の下階生活空間の天井（２７）と前記廃水管（２２）に接続された複数の廃水ジェネレータ（２１）を担持することができる床構造（２０）との間を延びる、請求項１から７のいずれかに記載の廃水配管システム（５）。
【請求項９】
前記廃水管（２２）に入る廃水が、重力（ＦＧ）に起因して、前記非垂直な廃水管（２２）が接続される廃水導管（２３）に向かって流れ、これによって、廃水出口（２４）に廃水を送ることを可能にするようになるように、前記非垂直な廃水管（２２）は、水平方向（ｘ）に関して傾斜角（ｖ）に配置される、請求項１から８のいずれかに記載の廃水配管システム（５）。
【請求項１０】
前記傾斜角（ｖ）は、１０度未満である、請求項１から９のいずれかに記載の廃水配管システム（５）。
【請求項１１】
前記傾斜角（ｖ）は、５．７度未満である、請求項１から１０のいずれかに記載の廃水配管システム（５）。
【請求項１２】
前記非垂直な廃水管の端部（２２Ａ）は、内部管表面を有し、
前記アダプタ（２００）は、前記管の端部（２２Ａ）に挿入され、前記廃水管（２２）の内部に取り付けられる突出部分（２００Ａ）を有する、請求項１から１１のいずれかに記載の廃水配管システム（５）。
【請求項１３】
前記非垂直な廃水管（２２）は、外部管表面を有し、
前記アダプタ（２００）は、前記外部管表面を取り囲むように適合され、前記外部管表面の少なくとも一部に取り付けられるように適合された突出部分（２００Ａ）を有する、請求項１から１２のいずれかに記載の廃水配管システム（５）。
【請求項１４】
臭気が前記廃水配管システム（５）から漏れるのを防ぐために、少なくとも１つの密閉する要素は、前記アダプタの前記突出部分（２００Ａ）と前記非垂直な廃水管の端部（２２Ａ）との間に設けられる、請求項１から１３のいずれかに記載の廃水配管システム（５）。
【請求項１５】
臭気が廃水配管システム（５）から漏れるのを防ぎながら所定のしきい低圧値を超える廃水管低圧を等化する空気弁（１）であって、
弁ハウジング（１００）を有し、
前記弁ハウジング（１００）は、
ハウジング本体（１０５）と、
空気弁入力（１１０）と、
液体トラップ・シール（２５）を含むことのできる、下水管などの非垂直な廃水管（２２）への接続のための空気弁出力（１２０）と、
を含み、前記ハウジング本体（１０５）は、前記空気弁入力（１１０）と前記空気弁出力（１２０）との間に位置決めされ、前記ハウジング本体（１０５）は、前記空気弁入力（１１０）を前記空気弁出力（１２０）に流体的に接続する水路を形成し、
前記弁ハウジング（１００）は、
前記空気弁入力（１１０）に取り付けられた水路部分（１８０）と、
前記空気弁入力（１１０）に配置され、第１の水路部分（１８０）から前記ハウジング本体（１０５）への入口を囲む弁座（１４０）と、
前記ハウジング本体（１０５）の内部に可動に配置された可動弁部材（１３１）と、
をさらに含み、前記可動弁部材（１３１）は、前記水路部分（１８０）および前記弁座（１４０）に面する弁部材表面（１３３）を有し、
前記空気弁（１）は、動作中に、周囲の第１の圧力レベル（Ｐ１）と廃水配管システムの第２の圧力レベル（Ｐ２）との間の圧力差（ΔＰ）に依存して第１の状態と第２の状態との間で切り替わることができ、
前記可動弁部材（１３１）は、前記臭気が前記ハウジング本体（１０５）から出るのを防ぐために前記空気弁（１）が前記第１の状態にある時に前記弁座（１４０）に密閉的に乗るように適合され、
前記可動弁部材（１３１）は、前記空気弁（１）が前記第２の状態にある時に前記ハウジング本体（１０５）内で前記弁座（１４０）から離れて位置決めされ、前記圧力差（ΔＰ）が前記所定のしきい値を超える時に廃水管低圧を等化するために周囲空気が前記ハウジング本体（１０５）に入ることを許すように適合され、
前記空気弁出力（１２０）の横断面は、前記空気弁（１）が前記第２の状態にある時に、前記周囲空気が第１の仮想平面（Ａ）に実質的に垂直な出力平均流れ方向（ＭＡ）に流れるようにするために、前記第１の仮想平面（Ａ）を形成し、
前記弁座（１４０）は、第２の仮想平面（Ｂ）を画定し、
前記第１の仮想平面（Ａ）は、前記第２の仮想平面（Ｂ）に関して第１の角度（α）に配置され、前記第１の角度（α）は、４５度から１３５度までの範囲内の値を有し、
前記空気弁出力（１２０）は、前記空気弁（１）が建物（１０）の垂直壁（２６）の外側に取り付け可能になるようにするために、前記非垂直な廃水管（２２）の端部（２２Ａ）にアダプタ（２００）を介して解放可能な形で接続可能である、空気弁（１）。
【発明の詳細な説明】
【技術分野】
【０００１】
本発明は、廃水配管システムから臭気が漏れるのを防ぎながら、廃水管低圧を等化する空気弁デバイスに関する。本発明は、廃水配管システムにも関する。
【背景技術】
【０００２】
排水管または汚水管は、通常、水洗便所、風呂、洗面台、台所の流し台などによって生成され得る排水を導くために建物内に据え付けられる。排水管内の廃水の流れを可能にするために、排水管は、排水管が部分的に空気で充填されることを可能にする、相対的に大きい内径を有する場合がある。さらに、排水管は、廃水が廃水ジェネレータすなわち、水洗便所、浴槽、洗面台、または台所の流し台などから重力によって流れることが可能になるように配置され得る。廃水が下水を含む場合に、排水管は、有機生活廃棄物または産業廃棄物の分解によって生成され得る下水ガスを保持する場合がある。
【０００３】
空気弁が、排水管または汚水管の上端に据え付けられ得、この排水管または汚水管には、水洗便所、風呂、洗面台、台所の流し台などが、液体トラップ・シール（ｌｉｑｕｉｄ  ｔｒａｐ  ｓｅａｌ）を介して接続され得る。配管工事の分野では、液体トラップ・シールは、水封じとして実施され得る。したがって、液体トラップ・シールは、下水ガスが排水管から建物に漏れるのを防ぐのに使用され得る。たとえば、水洗便所の水が流される時など、廃水が廃水ジェネレータから流れる時に、排水管を流れる廃水は、排水管内で液体トラップ・シールの付近に低圧を形成させる場合がある。空気弁がなければ、そのような低圧は、液体トラップ・シール内の液体を吸い出させ、液体トラップ・シールを含む廃水ジェネレータ、たとえば水洗便所が設置されている室内に下水ガスが自由に進むことを許す可能性がある。
【０００４】
空気弁は、通常、弁が接続された管内の圧力が管の外の圧力と同一である時には閉じる。空気弁は、管内の圧力が周囲圧力より高い時には管水路を有効に密閉することもできる。しかし、管内の圧力が周囲圧力より低い時には、弁は、低圧を等化するために、開き、周囲空気が入ることを許す。これは、洗面台などの水封じ内の液体が、そこから吸い出されるのを防ぐ。液体が、たとえば水洗便所の水封じから除去された場合には、廃水管からの空気および下水ガスは、水封じが設置された室内に自由に進むことを許される。排水管に据え付けられた時に、空気弁は、臭気ならびに暖かい湿った空気が排水管の端部から流れ出すのを防ぐこともできる。
【０００５】
ＥＰ  ０  ８６７  ５６９は、垂直に位置決めされた管継手を含む空気弁を開示する。垂直に位置決めされた管継手は、排水管の垂直部分の上端に据え付けられ得る。ＥＰ  ０  ８６７  ５６９によれば、垂直に位置決めされた管継手は、リング形状の水平な密閉する隆起の形の弁座を形成する上端を有する。さらに、ＥＰ  ０  ８６７  ５６９は、空気弁が、垂直に可動の弁板を含み、この弁板が、その下側に環状の密閉する座金を担持し、この座金の半径方向に内側および外側の縁部分は、同心円状に上に面する弁座リングに密閉的に乗ることができ、それによって、座金が、前記リング座の間の環状ギャップを密閉することを教示する。弁座金は、通常、密閉する座金と座金を担持する案内された板との組み合わされた重量の影響の下で、２つのリング形状の水平な密閉する隆起に乗る。弁は、圧力差に応答して開く。
【０００６】
ＵＳ２０９９７５  Ａ１は、図１に、室Ａおよび垂直に位置決めされた管Ｂを有し、垂直に位置決めされた管Ｂが水平に位置決めされた廃水管に接続する、空気弁の垂直セクションを示す。開示された空気弁室Ａの下側部分は、室Ａに上向きに空気を入れる開口Ｃを有し、その結果、入れられた空気は、前記垂直に位置決めされた管Ｂに横向きに流れ、その後、垂直に位置決めされた管Ｂを通って垂直に下向きに流れられるようになり、その後、入れられた空気は、さらに９０度曲がって、最終的に水平に位置決めされた廃水管内で水平方向に流れることができる。
【発明の概要】
【０００７】
本発明は、改善された廃水配管システムおよび／または改善された空気弁を達成するという問題に関する。
【０００８】
上記問題の一態様は、廃水配管システム（５）であって、
液体トラップ・シール（２５）を含むことのできる、下水管などの非垂直な廃水管（２２）と、
アダプタ（２００）と、
臭気が廃水配管システム（５）から漏れるのを防ぎながら所定のしきい低圧値を超える廃水管低圧を等化する空気弁（１）であって、
弁ハウジング（１００）であって
ハウジング本体（１０５）と、
空気弁入力（１１０）と、
空気弁出力（１２０）と
を含み、前記ハウジング本体（１０５）は、空気弁入力（１１０）と空気弁出力（１２０）との間に位置決めされ、前記ハウジング本体（１０５）は、空気弁入力（１１０）を空気弁出力（１２０）に流体的に接続する水路を形成し、
弁ハウジング（１００）は、
空気弁入力（１１０）に取り付けられた水路部分（１８０）と、
前記空気弁入力（１１０）に配置され、第１の水路部分（１８０）から前記ハウジング本体（１０５）への入口を囲む弁座（１４０）と、
ハウジング本体（１０５）の内部に可動に配置された可動弁部材（１３１）であって、
水路部分（１８０）および弁座（１４０）に面する弁部材表面（１３３）を有し、
空気弁（１）は、動作中に、周囲の第１の圧力レベル（Ｐ１）と廃水配管システムの第２の圧力レベル（Ｐ２）との間の圧力差（ΔＰ）に依存して第１の状態と第２の状態との間で切り替わることができ、
可動弁部材（１３１）は、前記臭気がハウジング本体（１０５）から出るのを防ぐために空気弁（１）が第１の状態にある時に弁座（１４０）に密閉的に乗るように適合され、
可動弁部材（１３１）は、空気弁（１）が第２の状態にある時にハウジング本体（１０５）内で弁座（１４０）から離れて位置決めされ、前記圧力差（ΔＰ）が所定のしきい値を超える時に廃水管低圧を等化するために周囲空気がハウジング本体（１０５）に入ることを許すように適合され、
空気弁出力（１２０）の横断面は、空気弁（１）が第２の状態にある時に、前記周囲空気が第１の仮想平面（Ａ）に実質的に垂直な出力平均流れ方向（ＭＡ）に流れるようにするために、第１の仮想平面（Ａ）を形成し、
弁座（１４０）は、第２の仮想平面（Ｂ）を画定し、
第１の仮想平面（Ａ）は、第２の仮想平面（Ｂ）に関して第１の角度（α）に配置され、第１の角度（α）は、４５度から１３５度までの範囲内の値を有する
可動弁部材（１３１）と
を含む弁ハウジング（１００）と
を含む、空気弁（１）と
を含み、空気弁出力（１２０）は、前記空気弁（１）が建物（１０）の垂直壁（２６）の外側に取り付けられるようにするために、前記非垂直な廃水管（２２）の端部（２２Ａ）に前記アダプタ（２００）を介して接続される、廃水配管システム（５）によって対処される。
【０００９】
この解決策は、廃水管低圧の効率的な等化をも可能にしながら屋外に空気弁を取り付けることを有利に可能にする。屋外での空気弁の取付けは、廃水配管システムが配置される建物内での屋内の空間要件の低減を与える。さらに、空気弁の設計と、前記アダプタを介する前記非垂直な廃水管の端部への空気弁の接続とは、廃水管低圧の効率的な等化を与える。というのは、周囲空気が、最小限の気流方向変化を伴って空気弁入力から非垂直な廃水管に流れることができるからである。
【００１０】
ＵＳ２０９９７５  Ａ１によって開示された技術的現状の空気弁は、室および垂直に位置決めされた管を有し、垂直に位置決めされた管が水平に位置決めされた廃水管に接続する、空気弁を含む。開示された空気弁室の下側部分は、室に上向きに空気を入れる開口を有し、その結果、入れられた空気は、前記垂直に位置決めされた管に横向きに流れ、その後、垂直に位置決めされた管を通って垂直に下向きに流れ、その後、入れられた空気は、さらに９０度曲がって、最終的に水平に位置決めされた廃水管内で水平方向に流れることができる。したがって、ＵＳ２０９９７５  Ａ１によって開示された技術的現状の空気弁は、技術的現状の空気弁と技術的現状の水平に位置決めされた廃水管との間の垂直に位置決めされた管を本質的に含むが、上で定義された解決策は、垂直に位置決めされた管を有利に除去し、よりかさばらない設計を与えると同時に、周囲空気が最小限の気流方向変化を伴って空気弁入力から非垂直な廃水管に流れることをも可能にする。
【００１１】
上記廃水配管システム（５）では、前記アダプタ（２００）は、空気弁（１）が第２の状態である時に、前記周囲空気が第１の垂直仮想平面（Ａ、Ａ）’に垂直な前記平均流れ方向で前記アダプタを介して前記非垂直廃水管（２２）内に流れるように成形され得る。
【００１２】
上記廃水配管システム（５）では、前記空気弁（１）および前記アダプタ（２００）は、
空気弁（１）が第２の状態にある時に、
前記周囲空気が、前記空気弁入力（１１０）を介して前記空気弁（１）内に入力平均流れ方向（ＭＣ）で流れ、その後、
前記周囲空気が、前記出力平均流れ方向（ＭＡ）で前記非垂直な廃水管（２２）に入るために前記空気弁（１）を介し、前記アダプタ（２００）を介して流れ、
平均流れ方向の変化を与え、平均流れ方向の前記変化は、１８０度未満であり、平均流れ方向の前記変化は、前記入力平均流れ方向と前記出力平均流れ方向との間の角度差である
ように成形され、組み立てられる。
【００１３】
上記廃水配管システム（５）では、平均流れ方向の前記変化は、１８０度未満とすることができる。
【００１４】
上記廃水配管システム（５）では、平均流れ方向の前記変化は、１３５度未満とすることができる。
【００１５】
上記廃水配管システム（５）では、平均流れ方向の前記変化は、少なくとも４５度とすることができる。
【００１６】
上記廃水配管システムでは、前記非垂直な廃水管（２２）は、平行な対向する内側側壁に沿った伸長方向（Ｅ２２）を有することができ、
前記空気弁出力（１２０）は、前記弁座（１４０）の平面（Ｂ）が前記伸長方向（Ｅ２２）に関して所定の角度（ｗ）に配置され、前記所定の角度（ｗ）が、−４５度から＋４５度の間の範囲内の値を有するようにするために、前記アダプタ（２００）を介して前記非垂直な廃水管（２２）の前記端部に接続される。
【００１７】
上記廃水配管システムでは、前記非垂直な廃水管（２２）は、建物の下階生活空間の天井（２７）と前記廃水管（２２）に接続された複数の廃水ジェネレータ（２１）を担持することができる床構造（２０）との間を走ることができる。
【００１８】
上記廃水配管システムでは、廃水管（２２）に入る廃水が、重力（ＦＧ）に起因して、前記非垂直な廃水管（２２）が接続される廃水導管（２３）に向かって流れ、これによって、廃水出口（２４）に廃水を送ることを可能にするようになるように、前記非垂直な廃水管（２２）は、水平方向（ｘ）に関して傾斜角（ｖ）に配置され得る。
【００１９】
上記廃水配管システムでは、前記傾斜角（ｖ）は、１０度未満とすることができる。
【００２０】
上記廃水配管システムでは、前記傾斜角（ｖ）は、５．７度未満とすることができる。
【００２１】
上記廃水配管システムでは、前記非垂直な廃水管の端部（２２Ａ）は、内部管表面を有することができ、
前記アダプタ（２００）は、前記管の端部（２２Ａ）に挿入され、廃水管（２２）の内部に取り付けられる突出部分（２００Ａ）を有する。
【００２２】
上記廃水配管システムでは、前記非垂直な廃水管（２２）は、外部管表面を有することができ、
前記アダプタ（２００）は、前記外部管表面を取り囲むように適合され、外部管表面の少なくとも一部に取り付けられるように適合された突出部分（２００Ａ）を有する。
【００２３】
上記廃水配管システムでは、臭気が廃水配管システム（５）から漏れるのを防ぐために、少なくとも１つの密閉する要素は、アダプタの突出部分（２００Ａ）と非垂直な廃水管の端部（２２Ａ）との間に設けられ得る。
【００２４】
上記廃水配管システムでは、前記少なくとも１つの密閉する要素は、アダプタ（２００）の突出部分（２００Ａ）と廃水管表面との間の密閉のための少なくとも１つの柔軟な隆起（２０６）を含む。
【００２５】
一態様によれば、臭気が廃水配管システム（５）から漏れるのを防ぎながら所定のしきい低圧値を超える廃水管低圧を等化する空気弁（１）であって、
弁ハウジング（１００）であって
ハウジング本体（１０５）と、
空気弁入力（１１０）と、
液体トラップ・シール（２５）を含むことのできる、下水管などの非垂直な廃水管（２２）への接続のための空気弁出力（１２０）と
を含み、前記ハウジング本体（１０５）は、空気弁入力（１１０）と空気弁出力（１２０）との間に位置決めされ、前記ハウジング本体（１０５）は、空気弁入力（１１０）を空気弁出力（１２０）に流体的に接続する水路を形成し、
弁ハウジング（１００）は、
空気弁入力（１１０）に取り付けられた水路部分（１８０）と、
前記空気弁入力（１１０）に配置され、第１の水路部分（１８０）から前記ハウジング本体（１０５）への入口を囲む弁座（１４０）と、
ハウジング本体（１０５）の内部に可動に配置された可動弁部材（１３１）であって、
水路部分（１８０）および弁座（１４０）に面する弁部材表面（１３３）を有し、
空気弁（１）は、動作中に、周囲の第１の圧力レベル（Ｐ１）と廃水配管システムの第２の圧力レベル（Ｐ２）との間の圧力差（ΔＰ）に依存して第１の状態と第２の状態との間で切り替わることができ、
可動弁部材（１３１）は、前記臭気がハウジング本体（１０５）から出るのを防ぐために空気弁（１）が第１の状態にある時に弁座（１４０）に密閉的に乗るように適合され、
可動弁部材（１３１）は、空気弁（１）が第２の状態にある時にハウジング本体（１０５）内で弁座（１４０）から離れて位置決めされ、前記圧力差（ΔＰ）が所定のしきい値を超える時に廃水管低圧を等化するために周囲空気がハウジング本体（１０５）に入ることを許すように適合され、
空気弁出力（１２０）の横断面は、空気弁（１）が第２の状態にある時に、前記周囲空気が第１の仮想平面（Ａ）に実質的に垂直な出力平均流れ方向（ＭＡ）に流れるようにするために、第１の仮想平面（Ａ）を形成し、
弁座（１４０）は、第２の仮想平面（Ｂ）を画定し、
第１の仮想平面（Ａ）は、第２の仮想平面（Ｂ）に関して第１の角度（α）に配置され、第１の角度（α）は、４５度から１３５度までの範囲内の値を有する
可動弁部材（１３１）と
を含む弁ハウジング（１００）と
を含み、前記空気弁出力（１２０）は、前記空気弁（１）が建物（１０）の垂直壁（２６）の外側に取り付け可能になるようにするために、前記非垂直な廃水管（２２）の端部（２２Ａ）にアダプタ（２００）を介して解放可能な形で接続可能である
空気弁（１）が提供される。
【００２６】
上記空気弁（１）では、前記アダプタ（２００）は、空気弁（１）が第２の状態にある時に、前記周囲空気が第１の仮想平面（Ａ、Ａ’）に垂直な前記平均流れ方向で前記アダプタを介して前記非垂直な廃水管（２２）内に流れるように成形され得る。
【００２７】
上記空気弁（１）では、前記空気弁（１）および前記アダプタ（２００）は、
空気弁（１）が第２の状態にある時に、
前記周囲空気が、空気弁入力（１１０）を介して前記空気弁（１）内に入力平均流れ方向（ＭＣ）で流れ、その後、
前記周囲空気が、前記出力平均流れ方向（ＭＡ）で前記非垂直な廃水管（２２）に入るために前記空気弁（１）を介し、前記アダプタ（２００）を介して流れ、平均流れ方向の変化を与え、平均流れ方向の前記変化は、１８０度未満であり、平均流れ方向の前記変化は、前記入力平均流れ方向と前記出力平均流れ方向との間の角度差である
ように成形され、組み立てられ得る。
【００２８】
上記空気弁（１）では、平均流れ方向の前記変化は、少なくとも４５度とすることができ、平均流れ方向の前記変化は、１３５度未満である。
【００２９】
上記空気弁（１）では、前記空気弁出力（１２０）は、前記弁座（１４０）の平面（Ｂ）が前記非垂直な廃水管（２２）の伸長方向（Ｅ２２）に関して所定の角度（ｗ）に配置され、前記所定の角度（ｗ）が、−４５度から＋４５度の間の範囲内の値を有するようにするために、前記アダプタ（２００）を介して前記非垂直な廃水管（２２）の前記端部に接続され得る。
【００３０】
上記空気弁（１）では、前記アダプタ（２００）は、前記管の端部（２２Ａ）に挿入可能であり、廃水管（２２）の内面に取り付け可能な突出部分（２００Ａ）を有することができる。
【００３１】
上記空気弁（１）では、前記アダプタ（２００）は、外部管表面を取り囲むように適合された突出部分（２００Ａ）を有することができ、前記突出部分（２００Ａ）は、外部管表面の少なくとも一部に取り付け可能になるように適合される。
【００３２】
上記空気弁（１）では、前記アダプタ（２００）は、臭気が廃水配管システム（５）から漏れるのを防ぐために、アダプタの突出部分（２００Ａ）と非垂直な廃水管の端部（２２Ａ）との間に配置されるように適合された少なくとも１つの密閉する要素を含むことができる。
【００３３】
上記空気弁（１）では、前記少なくとも１つの密閉する要素は、アダプタ（２００）の突出部分（２００Ａ）と廃水管表面との間の密閉のための少なくとも１つの柔軟な隆起（２０６）を含むことができる。
【図面の簡単な説明】
【００３４】
【図１】廃水配管システムを有する建物を示す図である。
【図２】本発明の一態様による、第１の状態の空気弁の側面図の横断面を示す図である。
【図３】本発明の一態様による、空気弁を示す側面図である。
【図４】本発明の一態様による、第２の状態の空気弁の側面図の横断面を示す図である。
【図５ａ】本発明の一態様による、可動弁部材を示す側面図である。
【図５ｂ】本発明の一態様による、可動弁部材を示す上面図である。
【図５ｃ】本発明の一態様による、空気弁の分解図である。
【図６】本発明の一態様による、空気弁の断面を示す図である。
【図７ａ】本発明の一態様による、支持要素を示す側面図である。
【図７ｂ】本発明の一態様による、支持要素を示す上面図である。
【図８】本発明の一態様による、空気弁を示す図である。
【図９】本発明の一態様による、空気弁の正面図の横断面を示す図である。
【図１０ａ】本発明の一態様による、空気弁および空気弁の支持部材を示す底面図である。
【図１０ｂ】本発明の一態様による、空気弁および空気弁の支持部材を示す底面図である。
【図１１ａ】本発明の一態様による、空気弁および空気弁の支持部材を示す底面図である。
【図１１ｂ】本発明の一態様による、空気弁および空気弁の支持部材を示す底面図である。
【図１２Ａ】空気弁１の一態様を示す図である。
【図１２Ｂ】空気弁が垂直壁２６の外側に取り付けられる時のアダプタ２００の例を示す図である。
【発明を実施するための形態】
【００３５】
この文書において、用語「弁」は、流体の流れを止め、開始し、調整し、または制御する任意のデバイスを意味する。
【００３６】
図面に追加された座標系は、その図面の眺めの角度を明瞭にすることを意図されたものである。各図の座標系の位置付けは、各それぞれの図の位置付けに対応する。
【００３７】
図１は、多階建物１０内で使用される廃水配管システム５の実施形態を示す。この建物は、複数の床構造２０および壁２６を有するものとして概略的に図示されている。壁２６は、建物の内部空間を外部空間から分離する壁とすることができる。したがって、壁２６は、建物の内部空間を外部から分離する壁とすることができる。建物の床構造２０は、複数の概略的に図示された廃水ジェネレータ２１が接続される廃水管２２を含むことができる。各廃水ジェネレータ２１は、水封じ２５を含む。廃水ジェネレータ２１は、たとえば、洗面台、水洗便所、およびシャワー蛇口（ｓｈｏｗｅｒ  ｏｕｔｌｅｔ）などとすることができる。水封じ２５は、臭気が廃水配管システム５から建物の室内に漏れるのを防ぐことができる。
【００３８】
廃水管２２は、廃水導管２３に接続され、廃水導管２３は、複数の廃水管２２から廃水を集め、集められた廃水を廃水出口２４に送るように適合され得る。
【００３９】
廃水管２２は、床構造２０内で、建物内の下階の生活空間の天井２７と建物内の上階の生活空間の床面２８との間に取り付けられ得る。廃水管２２は、複数の廃水ジェネレータ２１を担持することのできる床構造２０内を走ることができる。
【００４０】
廃水配管システム５内の廃水は、重力によって影響される。したがって、重力は、図１の矢印ＦＧの方向で廃水に作用し、したがって、図１の矢印ＦＧの方向での廃水導管２３内の廃水の輸送につながる。
【００４１】
廃水ジェネレータ２１から廃水導管２３に向かう廃水管２２内の廃水の流れを達成するために、廃水管２２は、水平方向ｘに関して角度ｖに配置され、その結果、廃水管２２は、廃水ジェネレータ２１が廃水管２２に接続される水準より垂直に低い水準で廃水導管２３に接続するようになる。言い換えると、廃水管２２は、廃水導管２３に向かう下向きの傾斜を有することができる。したがって、廃水管２２に入る廃水は、重力ＦＧに起因して、廃水導管２３に向かって流れる。角度ｖは、１０度未満の任意の角度値とすることができる。
【００４２】
図１に示された、水平軸ｘおよび垂直軸ｙを有する座標系は、角度を明瞭にすることを意図されたものである。したがって、図１から、廃水導管２３が、垂直の伸長方向に取り付けられ得ることが演繹され得る。廃水管２２は、水平方向に関して角度ｖに配置される。したがって、角度ｖに配置された廃水管２２は、非垂直かつ非水平の傾斜方向に配置され得る。
【００４３】
角度ｖは、廃水管２２が１０％未満すなわち１０センチメートル毎メートル未満の高度下落（ｅｌｅｖａｔｉｏｎａｌ  ｄｒｏｐ）を有するように選択され得る。１０％高度下落は、５．７度に対応する。したがって、角度ｖは、５．７度または５．７度未満とされ得る。したがって、廃水管２２は、廃水管２２の１メートルの長さが１０センチメートルまたは１０センチメートル未満だけ下落するように取り付けられ得る。別の例によれば、廃水管２２は、５％未満の傾斜で、すなわち、廃水管２２の１メートルの長さが５センチメートルまたは５センチメートル未満だけ下落するように取り付けられ得る。５％の高度下落は、２．９度に対応する。したがって、角度ｖは、２．９度または２．９度未満とされ得る。
【００４４】
廃水管２２は、建物内の下階生活空間の天井２７と複数の廃水ジェネレータ２１を担持することができる床構造２０との間を走ることができる。
【００４５】
廃水管２２および廃水導管２３は、第２の圧力レベルＰ２を有する。第２の圧力レベルＰ２は、たとえば、廃水ジェネレータ２１のうちの１つまたは複数から送られる大量の廃水の突然の出現に起因して、変化する可能性がある。具体的には、第２の圧力レベルＰ２が環境の周囲圧力レベルである第１の圧力レベルＰ１から逸脱することに関する低圧は、１つまたは複数の廃水ジェネレータ２１が同時に廃水を送り、管２２が導管２３に注ぐ時に廃水管２２内の第２の圧力レベルＰ２が低下するようになる時に生じる可能性がある。言い換えると、廃水が廃水管２２内または廃水導管２３内で輸送される時に、低圧が、廃水の背後で作成される場合がある。この低圧は、廃水ジェネレータ２１の水封じ２５を部分的にまたは完全に空にさせる可能性がある。水封じ２５は、臭気が漏れるのを防ぐために、水で充填される必要がある。したがって、廃水ジェネレータ２１の水封じ２５がそのままにされることを保証するために、廃水が廃水管２２および／または廃水導管２３内を走ることによって引き起こされる低圧が解決されなければならない。
【００４６】
廃水管２２および廃水導管２３内の低圧は、廃水管低圧を等化し、廃水ジェネレータ２１の水封じ２５が廃水システム５内の低圧によって影響されるのを防ぐ空気弁１を提供することによって緩和され得る。図１に示されているように、空気弁１は、廃水管２２の端部２２Ａに取り付けられ得る。空気弁１は、周囲の第１の圧力レベルＰ１と廃水配管システム５の第２の圧力レベルＰ２との間の圧力差ΔＰが、ある事前定義の基準レベルＲｌに達する時に開くように配置される。事前定義の基準レベルＲｌは、特定の廃水配管システム５の要件を満足するために変更され得る。空気弁１は、空気弁１が事前定義の基準レベルＲｌで開くようになるように構成される。
【００４７】
空気弁１が開く時すなわち、周囲の第１の圧力レベルＰ１と廃水配管システム５の第２の圧力レベルＰ２との間の圧力差ΔＰが事前定義の基準レベルＲｌに達する時に、囲む空気は、廃水配管システム５に流れ込むことを許され、システム５内の低圧が、等化される。事前定義の基準レベルＲｌには、廃水ジェネレータ２１の水封じが影響を受ける前に空気弁１が開くようになるレベルがセットされる。したがって、空気弁１を廃水配管システム５に接続することによって、システム５内の廃水ジェネレータ２１の水封じ２５は、たとえば廃水ジェネレータ２１のうちの少なくとも１つによって作成された低圧によって影響されない。
【００４８】
空気弁１は、建物の外部に取り付けられ得る。一態様によれば、空気弁は、建物の外壁に取り付けられる。空気弁が垂直表面に取り付け可能なので、屋根領域は、空気弁のために利用される必要がない。したがって、屋根領域は、図１に示されている社交領域など、他の目的に使用され得る。
【００４９】
図２は、臭気が廃水配管システム５から漏れるのを防ぎながら廃水管低圧を等化する、空気弁１の態様を示す。空気弁１は、横断面側面図で示されている。
【００５０】
空気弁１は、ハウジング本体１０５、空気弁入力１１０、空気弁出力１２０、および空気弁入力１１０に取り付けられた水路部分１８０を有する弁ハウジング１００を含む。ハウジング本体１０５は、空気弁入力１１０と空気弁出力１２０との間に位置決めされ、空気弁入力１１０を空気弁出力１２０に流体的に接続する水路を形成する。
【００５１】
空気弁出力１２０は、下水システムなどの廃水管システム５に接続されるように配置される。空気弁出力１２０は、好ましくは廃水管２２に接続されるように配置される。
【００５２】
弁座１４０は、前記空気弁入力１１０に配置され、第１の水路部分１８０から前記ハウジング本体１０５への入口を囲む。可動弁部材１３１は、ハウジング本体１０５の内部に可動に配置され、前記可動弁部材１３１は、水路部分１８０および弁座１４０に面する弁部材表面１３３を有する。空気弁は、周囲の第１の圧力レベルＰ１と廃水配管システムの第２の圧力レベルＰ２との間の圧力差ΔＰに依存して第１の状態と第２の状態との間で切り替わることができる。圧力差ΔＰが、ある事前定義の基準レベルＲｌに達する時に、空気弁１は、開き、または、言い換えると、第１の状態から第２の状態に切り替わる。圧力差ΔＰが、事前定義の基準レベルＲｌ未満になる時に、空気弁は、閉じ、または、言い換えると、第２の状態から第１の状態に切り替わる。
【００５３】
空気弁１が図２に示された第１の状態にある時に、可動弁部材１３１は、弁座１４０に密閉的に乗るように適合される。したがって、第１の状態では、臭気は、ハウジング本体１０５から出ることを防がれる。弁座１４０は、可動弁部材１３１と一緒に気密シールを形成できる（図６参照）ようになるために最適な形で構成されたリング形状の縁とすることができる。
【００５４】
第２の状態では、可動部材１３１は、ハウジング本体１０５内で弁座１４０から離れて位置決めされ、廃水管低圧を等化するために周囲空気がハウジング本体１０５に入ることを許すように適合される。
【００５５】
空気弁出力１２０の位置付けによって画定される仮想平面Ａは、弁座１４０の位置付けによって画定される仮想平面Ｂに関して第１の角度αに配置される。
【００５６】
この態様に示された第１の角度αは、９０度である。しかし、第１の角度αは、変化することができる。図示されていない一態様によれば、空気弁１は、空気弁１内の平面ＡとＢとの間の第１の角度αを４５度から１３５度の範囲内として構成される。
【００５７】
一態様によれば、空気弁１は、空気弁が、周囲空気が空気弁１に流れ込むことを許す第２の状態にある時に、水路部分１８０内の主気流の方向ＭＣおよびアダプタ部分２００内の主気流の方向ＭＡが、お互いに関して４５度から１３５度の角度になるように構成される。空気弁１を介する異なる位置での気流は、変化する可能性があるが、主気流は、少なくとも水路部分１８０内およびアダプタ部分２００内では、ある方向を有する。
【００５８】
空気弁出力１２０は、廃水システム５内の管２２に取り付けられるように配置され、この管２２は、弁座１４０の位置付けによって画定される仮想平面Ｂに関して−４５度から＋４５度の角度に配置された中心線６を有する。空気弁出力１２０は、アダプタ部分２００に接続可能な円形の表面として画定され得、またはその代わりに、空気弁出力１２０は、ハウジング本体１０５の出口を形成する水路の一部として画定され得る。したがって、空気弁出力１２０は、仮想平面Ｂに対する法線に関して、ある角度で配置され得る。
【００５９】
図６および図７でさらに説明されるアダプタ部分２００は、弁出力１２０に取り付け可能である。
【００６０】
水路部分１８０および弁座１４０に面する弁部材表面１３３は、弁座１４０の寸法および形状に対応する。一態様によれば、弁部材表面１３３と弁座１４０との両方が、円形である。
【００６１】
弁部材表面１３３および弁座１４０は、シールを形成し、空気弁１が第１の状態である時に臭気が廃水システム５から漏れるのを防ぐように構成される。弁部材表面１３３は、一態様によれば、ゴムなどの柔軟な材料で構成され得、弁座１４０は、プラスティック、金属、またはセラミックなどの堅い材料で構成され得る。代替案では、弁座１４０は、ゴムなどの柔軟な材料で構成され得、弁部材表面は、プラスティックまたは金属などの堅い材料で構成され得る。
【００６２】
水路部分１８０は、内面１９０を有する。図５ａおよび図５ｂに関してさらに説明される可動弁部材１３１は、ヘッド部分１４２および突出要素１４３を含む。ヘッド部分１４２は、ハウジング本体１０５の内部に可動に配置され、突出要素１４３は、支持構造１５５内に摺動可能に配置される。支持構造１５５は、水路部分１８０内に配置される。支持構造１５５は、水路部分１８０の内面１９０に取り付けられた少なくとも３つの支持部材１９５によって水路部分１８０内で位置決めされる。支持部材１９５に関するさらなる詳細については、図６ａおよび図６ｂを参照されたい。
【００６３】
空気弁１の最適機能を達成するために、可動弁部材１３１は、軸ｙに沿った垂直位置において移動できるように配置されなければならない。可動弁部材１３１のヘッド部分１４２は、水平方向ｘに配置されなければならず、したがって、弁座１４０の位置付けによって画定される仮想平面Ｂは、水平方向ｘに整列され得る。可動弁部材１３１のヘッド部分が水平方向ｘに配置される時に、弁部材表面１３３と弁座１４０との間の最適の密閉が達成される。さらに、支持構造１５５内およびハウジング本体１０５内の可動弁部材１３１の最適な移動が達成され得る。というのは、この方向で配置される時に、可動弁部材１３１が支持構造内で滑走する時の可動弁部材１３１と支持構造１５５との最小限のまたは低減された摩擦が達成されるからである。
【００６４】
廃水管２２に取り付けられた時に最適の気流および密閉機能を有する空気弁１を構成するために、第１の角度αは、可動弁部材１３１がそれでも垂直方向ｙで移動するように配置されるようにするために、空気弁１が取り付けられる廃水管２２の第３の角度ｖに調整され得る。空気弁１のこの構成は、空気弁１の設計によって、またはアダプタ部分２００の設計によって達成され得る。
【００６５】
水路部分１８０は、空気弁１を通る気流を改善するために、空気弁１の入力１１０に取り付けられる。試験は、空気弁１を通る空気の流れが、ある長さＬを有する水路部分１８０を構成することによって最適化され得ることを示した。一態様によれば、水路部分１８０の長さＬは、円形の弁部材表面１３３の半径の３０％〜７０％に対応する。一態様によれば、水路部分１８０の長さＬは、円形の弁部材表面１３３の半径の３５％〜４５％に対応する。
【００６６】
一態様によれば、水路部分１８０は、じょうご形状の開口１３５を有する。気流試験は、空気弁が第２の状態にある時に、じょうご形状の開口１３５が、空気弁５を通る空気の流れを改善することを示した。じょうご形状の開口１３５の形状は、変化することができる。
【００６７】
図３は、臭気が廃水配管システム５から漏れるのを防ぎながら廃水管低圧を等化する、空気弁１の一態様の側面図を示す。
【００６８】
空気弁１は、ハウジング本体１０５および水路部分１８０を有する弁ハウジング１００を含む。水路部分１８０は、ある長さＬを有する。
【００６９】
さらに、アダプタ部分２００が図示されている。アダプタ部分２００は、空気弁１に接続される。アダプタ部分２００は、空気弁１を廃水管２２に取り付けることができるように構成される。アダプタ部分２００の寸法は、特定の設置のために選択される。特定のアダプタ部分２００は、異なる寸法の廃水管２２を据え付けるために、設置ごとに選択される。アダプタ部分２００は、図２に示されているように、廃水管２２の内部に取り付けられるために構成され得る。一態様によれば、アダプタ部分２００は、廃水管２２の外部に取り付けられるために構成され得る。
【００７０】
図４は、第２の状態の空気弁１の横断面側面図を示す。周囲の第１の圧力レベルＰ１と廃水配管システムの第２の圧力レベルＰ２との間の圧力差ΔＰは、ある事前定義の基準レベルＲｌを超え、したがって、可動弁部材１３１は、可動弁部材１３１がハウジング本体１０５内で弁座１４０から離れて位置決めされる第２の状態にある。周囲空気は、廃水管低圧を等化するためにハウジング本体１０５に入ることを許される。空気弁１内の周囲空気の気流は、矢印によって概略的に示されている。
【００７１】
図５ａおよび図５ｂは、２つの異なる方向から見た、可動弁部材１３１を概略的に示す。左下角に示された座標系は、図５ａがそこから見られる方向を示し、右下角に示された座標系は、図５ｂがそこから見られる方向を示す。図５ａは、可動弁部材１３１の側面図を示し、図ｂは、可動弁部材１３１の底面図を示す。可動弁部材１３１は、ヘッド部分１４２および突出要素１４３を含む。この態様によれば、ヘッド部分１４２は円形である。ヘッド部分１４２は、一態様によれば、複数の層によって構成される。１つの第１の層１３６は、ヘッド部分１４２の最上部に配置される。この第１の層１３６は、プラスティックまたは金属などの堅い材料から形成される。一態様によれば、第１の層１３６は、第２の層１３３に面する突出手段を含む。突出手段は、第１の層１３６の外縁に沿って配置され得る。第２の層１３３は、一態様によれば、ゴムなど材料から作られた柔軟な層である。この柔軟な第２の層１３３は、弁部材表面１３３を形成する。弁部材表面は、空気弁１が第１の状態にある時に弁座１４０と一緒にシールを形成するように配置される。第２の層１３３の半径は、一態様によれば、第１の層１３６の半径に対応する。ヘッド部分１４２は、第３の層１３７を含む。第３の層１３７は、プラスティックまたは金属などの堅い材料から形成される。第３の層１３７は、第２の層１３３を安定させるように配置される。第３の層は、第２の層１３３の半径より小さい半径を有する。
【００７２】
可動弁部材１３１の底面図が、弁部材表面１３３が開示された図５ｂに示されている。弁部材表面１３３は、この実施形態によればリング形状を有し、弁部材表面１３３の寸法は、空気弁１が第１の状態にある時に、弁部材表面１３３および弁座１４０が、臭気が空気弁１から漏れるのを防ぐシールを形成できるようにするために、弁座１４０におさまるように形成される。一態様によれば、弁部材表面１３３は、図５ｂに示されているようにリング形状の表面である。
【００７３】
図５ｃは、空気弁１および可動弁部材１３１の側面分解図である。
【００７４】
可動弁部材１３１の寸法および重量は、空気弁１がそれに関して第１の状態と第２の状態との間で切り替わる、周囲の第１の圧力レベルＰ１と廃水配管システムの第２の圧力レベルＰ２との間の圧力差ΔＰを捉えるのに影響する。第１の状態では、突出要素１４３は、支持構造１５５の内部に位置を与えられるが、ヘッド部分１４２の底部に弁部材表面１３３を配置されたヘッド部分１４２は、臭気がハウジング本体１０５から出るのを防ぐために弁座１４０に密閉的に乗っている。周囲の第１の圧力レベルＰ１と廃水配管システムの第２の圧力レベルＰ２との間の圧力差ΔＰが、ある事前定義の基準レベルＲｌに達する時に、可動弁部材１３１は、仮想平面Ｂに垂直な垂直方向で上向きに移動する。突出要素１４３は、支持構造１５５内で滑走しまたは摺動し、ヘッド部分１４２は、ハウジング本体１０５内で上向きに移動し、周囲空気が空気弁１に入ることを許す。一態様によれば、ハウジング本体１０５は、ヘッド部分１４２がハウジング本体１０５内で移動されるのを防ぐ案内手段Ｇを含む。
【００７５】
空気弁１は、周囲の第１の圧力レベルＰ１と廃水配管システムの第２の圧力レベルＰ２との間の圧力差ΔＰがある事前定義の基準レベルＲｌ未満になるまでは、第２の状態で開いたままになる。圧力差ΔＰがある事前定義の基準レベルＲｌ未満になる時には、ヘッド部分１４２および特に弁部材表面１３３が弁座１４０に達し、弁部材表面１３３および弁座１４０がシールを形成するまで、可動弁部材１３１の突出要素１４３は、支持構造１５５内で下に摺動する。
【００７６】
図６は、空気弁１が第１の状態にある時に弁座１４０が弁部材表面１３３と一緒にシールを形成する、空気弁１の弁座１４０の上面図を示す。弁座１４０は、プラスティックまたは金属などの堅い材料で形成された隆起とすることができる。弁座１４０の形状は、弁部材表面１３３の形状に対応する。
【００７７】
図７ａおよび図７ｂは、２つの異なる方向から見た支持部材１９５を概略的に示す。左下角に示された座標系は、図７ａがそこから見られる方向を示し、右下角に示された座標系は、図７ｂがそこから見られる方向を示す。
【００７８】
図７ａおよび図７ｂに示されているように、支持部材１９５は、４つの側面を有する薄い翼様要素である。Ｓ１は、空気弁１の支持構造２５５に取り付けられるように配置され、Ｓ２は、空気弁１の弁部材表面１３３に向かって指すように配置され、Ｓ３は、空気弁１の水路部分１８０の内壁１９０に取り付けられるように配置される。
【００７９】
Ｓ２は、弁部材１３１の第３の層１３７を受けるように配置された凹窩を有する。Ｓ４は、図示の実施形態によれば、曲げられる。試験は、側面Ｓ４のこの設計が、曲線形状の形なしの支持部材との比較で、空気弁１内の気流を改善することを示した。
【００８０】
支持部材１９５の代替の設計が可能である。Ｓ４は、直線であるまたは一様ではない形状を有するなど、異なる形状を有することができる。一態様によれば、支持部材１９５は、中実ではなく、異なる形状の穴を含むことができる。
【００８１】
さらに、同一の空気弁１内の支持要素の設計は、空気弁１を通る最適の気流を達成すると同時に頑健な構造を形成するために、変化することができる。
【００８２】
図８は、前の図面と比較して異なる眺めから見られた空気弁１を示す。座標系は、図８内の空気弁１の眺めの方向を示す。図８のアダプタ部分２００は、廃水管２２に挿入されるように適合され、したがって、空気弁１と廃水管２２との間の接続を密閉するために隆起２０６を含む。アダプタ部分２００は、壁などの実質的に垂直な建物要素に取り付けられるように配置される。アダプタ部分２００は、開口２１０を有する突出部２０５を含み、各開口２１０は、ねじなどの取付けデバイスを受けるように配置される。代替案では、アダプタ部分は、代替の締結手段を含む。
【００８３】
アダプタ部分は、ある寸法の廃水管２２への据え付けのために交換され得る。
【００８４】
一例によれば、アダプタ部分２００は、廃水管２２を取り囲むように適合される。この実施形態によれば、隆起または類似する構造などの密閉する要素が、アダプタ部分２００の内部に配置される（図示せず）。
【００８５】
図９は、空気弁１およびアダプタ部分２００の正面図の横断面を示す。座標系は、空気弁１およびアダプタ部分２００の眺めの方向を示す。空気弁１は、空気がハウジング本体１０５に流れ込むことを許される第２の状態にある。
【００８６】
図１０ａおよび図１０ｂは、空気弁１およびアダプタ部分２００の底面図を示す。座標系は、空気弁１およびアダプタ部分２００の眺めの方向を示す。支持構造１５５は、水路部分１８０の内面１９０に取り付けられた４つの支持部材１９５によって水路部分１８０内に位置決めされる。支持部材１９５は、支持構造１５５から水路部分１８０の内面１９０へ、半径方向に配置される。弁座１４０の位置付けによって画定される仮想平面Ｂ（図２参照）内に見られる各支持部材１９５の間の第２の角度βは、等しい。したがって、支持部材は、支持構造１５５の周囲に均等に分散される。図示の態様では、第２の角度βは、９０度である。
【００８７】
図１０ａに示された態様では、支持部材１９５のうちの２つは、方向Ｄに配置され、方向Ｄは、空気弁出力１２０の位置付けによって画定される仮想平面Ａに関して４５度の角度にある。
【００８８】
支持部材１９５を異なる角度で位置付けることによって、空気弁１を通る気流が、影響を受ける。図１０ａに示された態様は、空気弁１を通るよい気流を作成する。
【００８９】
図１０ｂに示された態様では、支持部材１９５のうちの２つは、方向Ｃに配置され、方向Ｃは、空気弁出力１２０の位置付けによって画定される仮想平面Ａに関して垂直である。この図示の形で支持部材を位置付けることによって、空気弁が第２の状態にある時に、図１０ａに示された態様よりさらによい、空気弁１を通る気流が達成される。
【００９０】
図１１ａ〜図１１ｃは、空気弁１およびアダプタ部分２００の底面図を示す。このページの座標系は、空気弁１およびアダプタ部分２００の眺めの方向を示す。
【００９１】
支持構造１５５は、水路部分１８０の内面１９０に取り付けられた３つの支持部材１９５によって水路部分１８０内に位置決めされる。支持部材１９５は、支持構造１５５から水路部分１８０の内面１９０へ半径方向に配置される。弁座１４０の位置付けによって画定される仮想平面Ｂ（図２参照）内に見られる各支持部材１９５の間の第２の角度βは、等しい。したがって、支持部材は、支持構造１５５の周囲に均等に分散される。図示の態様では、第２の角度βは、１２０度である。
【００９２】
図１１ａに示された態様では、支持部材１９５のうちの１つは、方向Ｅに配置され、方向Ｅは、空気弁出力１２０の位置付けによって画定される仮想平面Ａに平行な方向である。３つの支持部材１９５のこの位置決めが、位置１である。
【００９３】
試験は、４つの支持部材１９５が使用される構造と比較して、３つの支持部材１９５だけが使用される空気弁１の構造が、空気弁１が第２の状態である時の空気弁１を通る流れを改善したことを示した。支持部材１９５のうちの１つを方向Ｅに配置することによって、空気弁１を通るよい流れが達成される。さらに、空気弁１は、可動弁部材１３１が支持構造１５５によって適当な形で支持される頑健な構造を達成する。
【００９４】
図１１ｂおよび図１１ｃに示された態様では、空気弁１は、３つの支持部材１９５を含む。支持部材１９５のうちの１つは、方向Ｃに配置され、方向Ｃは、空気弁出力１２０の位置付けによって画定される仮想平面Ａに垂直な方向にある。
【００９５】
図１１ｂに示された態様によれば、支持部材１９５のうちの１つは、方向Ｃに配置され、支持構造１５５から、空気弁出力１２０から離れる方向を指す。３つの支持部材１９５のこの位置決めが、位置２である。支持部材１９５のこの位置付けは、図１１ａに開示された実施形態と比較して、空気弁１を通るよりよい気流を達成する。
【００９６】
図１１ｃに示された別の実施形態によれば、支持部材１９５のうちの１つは、支持構造１５５から空気弁出力１２０に向かう方向Ｃで、方向Ｃに配置される。３つの支持部材１９５のこの位置決めが、位置３である。支持部材のこの位置付けは、図１１ａおよび図１１ｂに開示された実施形態と比較して、空気弁１を通るさらによりよい気流を達成する。
【００９７】
図１２Ａは、空気弁１およびアダプタ部分２００の一態様を示す。図示の態様では、アダプタ部分２００は、廃水管２２の方向に整列するために調整されており、同時に、空気弁１の位置付けは最適であり、弁表面１３３は水平方向であり、可動弁部材１３１が最適の移動能力および密閉能力のために厳密に垂直の方向ｙに移動することを可能にする。図１２Ａに示されているように、アダプタ２００の図１２Ａ版は、角度ｗの屈曲を提供する。この形で、弁座（１４０）の平面Ｂは、水平に位置決めされ得るが、伸長方向Ｅ２２を有する非垂直な廃水管２２は、前記伸長方向（Ｅ２２）に関して所定の角度ｗ、ｖに配置され得る。したがって、非垂直な廃水管（２２）は、平行の対向する内側側壁に沿った伸長方向（Ｅ２２）を有し、空気弁出力（１２０）は、前記アダプタ（２００）を介して前記非垂直な廃水管（２２）の前記端部に接続され、その結果、前記弁座（１４０）の平面（Ｂ）は、前記伸長方向（Ｅ２２）に関して所定の角度（ｗ）に配置されるようになる。所定の角度（ｗ）は、−４５度から＋４５度の間の範囲の値を有することができる。角度ｗは、弁座１４０の平面Ｂが水平に位置決めされる時すなわち、図１２に示されているように、弁座１４０の平面Ｂが水平軸ｘと平行である時に、角度ｖと等しい。
【００９８】
図１２Ｂは、空気弁が垂直壁２６の外側に取り付けられる時のアダプタ２００の例を示す。アダプタ２００は、外部管表面２２Ｂを取り囲むように適合された突出部分２００Ｂを有し、前記突出部分２００Ｂは、外部管表面２２Ｂの少なくとも一部に取り付け可能になるように適合される。
【００９９】
アダプタ２００は、臭気が廃水配管システム５から漏れるのを防ぐために、アダプタの突出部分２００Ｂと非垂直な廃水管端部２２Ｂとの間に配置されるように適合された少なくとも１つの密閉する要素を含むことができる。密閉する要素は、接着剤（図示せず）を含むことができる。接着剤は、これによって、密閉ならびに取付け機能を提供することができる。図１２Ａに示されているように、少なくとも１つの密閉する要素は、アダプタ２００の突出部分２００Ａまたは２００Ｂと廃水管表面との間の密閉のための少なくとも１つの柔軟な隆起２０６をも含むことができる。したがって、図１２Ｂに示された突出部分２００Ｂは、突出部分２００Ｂの内面と外部管表面２２Ｂとの間に位置決めされた１つまたは複数の柔軟な隆起２０６を有することができる。
【０１００】
図１３は、一態様による空気弁１を通る気流を示す図を示す。このグラフは、水路部分１８０の高さに関して第２の状態にある空気弁１を通る空気の流れを開示する。このグラフは、空気弁の３つの支持部材１９５の３つの異なる位置、位置１、位置２、位置３の気流の測定値を表し、周囲の第１の圧力レベルＰ１と第２の圧力レベルＰ２との間の２つの異なる圧力差ΔＰについては、図１１ａ〜図１１ｃを参照されたい。図１３からわかるように、位置３の支持部材１９５を有する空気弁１は、空気弁１が開かれ、第２の状態にある時に、空気弁１を通る最良の気流を達成する。
【０１０１】
さらなる実施形態を、下で説明する。
【０１０２】
実施形態１は、臭気が廃水配管システムから漏れるのを防ぎながら所定のしきい低圧値を超える廃水管低圧を等化する空気弁（１）であって、
弁ハウジング（１００）であって
ハウジング本体（１０５）と、
空気弁入力（１１０）と、
液体トラップ・シールを含むことのできる、下水管などの部分的に空気を充填された廃水管（２２）への接続のための空気弁出力（１２０）と
を含み、前記ハウジング本体（１０５）は、空気弁入力（１１０）と空気弁出力（１２０）との間に位置決めされ、前記ハウジング本体（１０５）は、空気弁入力（１１０）を空気弁出力（１２０）に流体的に接続する水路を形成し、
弁ハウジング（１００）は、
空気弁入力（１１０）に取り付けられた水路部分（１８０）と、
前記空気弁入力（１１０）に配置され、第１の水路部分（１８０）から前記ハウジング本体（１０５）への入口を囲む弁座（１４０）と、
ハウジング本体（１０５）の内部に可動に配置された可動弁部材（１３１）であって、
水路部分（１８０）および弁座（１４０）に面する弁部材表面（１３３）を有し、
空気弁（１）は、動作中に、周囲の第１の圧力レベル（Ｐ１）と廃水配管システムの第２の圧力レベル（Ｐ２）との間の圧力差（ΔＰ）に依存して第１の状態と第２の状態との間で切り替わることができ、
可動弁部材（１３１）は、前記臭気がハウジング本体（１０５）から出るのを防ぐために空気弁（１）が第１の状態にある時に弁座（１４０）に密閉的に乗るように適合され、
可動弁部材（１３１）は、空気弁（１）が第２の状態にある時にハウジング本体（１０５）内で弁座（１４０）から離れて位置決めされ、前記圧力差（ΔＰ）が所定のしきい値を超える時に廃水管低圧を等化するために周囲空気がハウジング本体（１０５）に入ることを許すように適合される
可動弁部材（１３１）と
を含む弁ハウジング（１００）と
を含む空気弁（１）を含む。
【０１０３】
この解決策は、廃水管内に生じる可能性がある低圧を等化し、これによって臭気が液体トラップ・シールを介して漏れることをも防ぐことによって、廃水配管システム内の液体トラップ・シールの完全性を保証するという有利な効果を有する。これは、管内の圧力が周囲圧力より低い時に、空気弁が、低圧を等化するために周囲空気が入ることを許し、したがって、液体トラップ・シール内の液体がそこから吸い出されることを防ぐからである。液体が液体トラップ・シールから吸い出される場合には、廃水管からの空気および下水ガスは、液体トラップ・シールが設置された部屋に自由に進むことを許されるはずである。
【０１０４】
さらに、空気弁出力が、排水管の端部に据え付けられる時に、空気弁は、臭気および／または暖かい湿った空気が排水管の端部から流れ出すのを防ぐことができる。したがって、そのような空気弁の提供は、そのような排水管を屋内で終端しながら臭気が排水管から漏れるのを防ぐことを可能にする。そのような空気弁の提供は、臭気が屋外エンターテイメント区域の空気品質に影響するのを防ぎながら、屋外で、たとえば、たとえばバルコニーまたは屋上などの屋外エンターテイメント区域の付近で終端することをも可能にする。
【０１０５】
さらに、上で定義された空気弁は、前記臭気がハウジング本体から出るのを防ぐために、空気弁が第１の状態にある時に、可動弁部材が弁座に密閉的に乗ることを可能にする有利に頑健な設計を有する。したがって、ＥＰ  ０  ８６７  ５６９の空気弁は、少なくとも２つの弁座リングを必要とするが、上で定義された空気弁は、１つの弁座だけを必要とする可能性がある単純化された設計を可能にする。２つの弁座から１つの弁座への減少は、対応する密閉区域の物理的寸法の大幅な減少を構成し、したがって、空気弁密閉容量の信頼性を高め、漏れの危険性を減らすことができる。
【０１０６】
周囲圧力レベル（Ｐ１）と廃水配管システム圧力レベル（Ｐ２）との間の圧力差（ΔＰ）は、廃水管低圧が等化される所定のしきい低圧値を構成する。空気弁が、動作可能に取り付けられ、その結果、可動弁部材が垂直方向に移動可能になる時に、所定のしきい低圧値は、可動弁部材（１３１）の重量に対応する低圧値とすることができる。実際に、弁を開くのに必要な力は、可動弁部材の重量と、周囲圧力レベル（Ｐ１）を受ける可動弁部材の表面積と、廃水配管システム圧力レベル（Ｐ２）を受ける可動弁部材の表面積とに依存する可能性がある。空気弁の実施形態によれば、所定のしきい低圧値は、液体トラップ・シールから液体を吸い出すのに必要な低圧値より低い圧力値になるように選択され得る。したがって、所定のしきい低圧値は、送水管システム（５）に結合された液体トラップ・シールの物理的寸法に依存して選択され得、所定のしきい低圧値は、関連する液体の密度に依存して選択され得る。液体トラップ・シール内の液体は、たとえば、水とすることができる。
【０１０７】
空気弁の実施形態によれば、所定のしきい低圧値は、１５０パスカルになるように選択され得る。所定のしきい低圧値が１５０パスカルである空気弁の提供は、液体トラップ・シールから液体を吸い出すのに必要な低圧値が、２００パスカルから６００パスカルの範囲内など、１５０パスカルより実質的に高い時に適切である可能性がある。したがって、たとえば、液体トラップ・シールから液体を吸い出すのに必要な低圧値が５００Ｐａであり、所定の低圧値が１５０パスカルである時には、有利なことに、３５０Ｐａの安全マージンがある。
【０１０８】
実施形態２は、
空気弁出力（１２０）の横断面は、空気弁（１）が第２の状態にある時に、前記周囲空気が第１の仮想平面（Ａ）に実質的に垂直な平均流れ方向に流れるようにするために、第１の仮想平面（Ａ）を形成し、
弁座（１４０）は、第２の仮想平面（Ｂ）を画定し、
第１の仮想平面（Ａ）は、第２の仮想平面（Ｂ）に関して第１の角度（α）に配置され、第１の角度（α）は、０度から逸脱する
実施形態１による空気弁である。
【０１０９】
したがって、ＥＰ  ０  ８６７  ５６９の空気弁は、実質的に垂直な廃水管の上端での取付けを必要とするが、本発明のこの態様による空気弁は、非垂直な廃水管での発明的空気弁の取付けを有利に可能にする。
【０１１０】
ＥＰ  ０  ８６７  ５６９の従来技術の空気弁は、この従来技術の空気弁が開状態である時にその間で周囲空気が垂直に上向きに流れることのできる２つのリング形状の水平な密閉する隆起と、この従来技術の空気弁が実質的に垂直な廃水管への開状態である時にその周囲空気を垂直に下向きに通す垂直に位置決めされた管継手とを有することに留意されたい。したがって、ＥＰ  ０  ８６７  ５６９の空気弁は、空気弁が開状態である時に気流が流れの方向の１８０度変更を行うことを要求し、ＥＰ  ０  ８６７  ５６９の空気弁は、実質的に垂直な廃水管の上端への取付けに適合されるが、本発明のこの態様による空気弁は、流れの方向の、要求される変更を減らし、非垂直な廃水管での発明的空気弁の取付けをも可能にする。
【０１１１】
実質的に、ＥＰ  ０  ８６７  ５６９で開示された従来技術の空気弁は、実質的に垂直な廃水管の上端での取付けを要求するが、本発明のこの態様による空気弁は、有利なことに、第１の角度（α）が約９０度である時に、実質的に水平な廃水管での発明的空気弁の取付けを可能にする。
【０１１２】
実施形態３は、第１の角度（α）が、４５度から１３５度までの範囲内の値を有する、実施形態２による空気弁である。
【０１１３】
角度（α）を変更することによって、空気弁が接続される廃水管に関する空気弁の最適構造が達成され、最適の気流を有する空気弁を作成することができる。したがって、空気弁が第２の状態にある時の、ある種の要求される空気の流れに関して、弁の寸法は、小さく保たれ、空間コストおよび材料コストを節約することができる。
【０１１４】
この解決策は、空気弁の頑健で空間効率のよい取付けを提供する、この空気弁が実質的に水平な廃水管に取り付けられることを可能にするという有利な効果を有する。この空気弁を用いると、余分な接続、余分な配管、または屈曲が、本質的に水平な廃水管に取り付けられる必要がなく、したがって、材料と設置時間との両方が節約される。
【０１１５】
したがって、ＥＰ  ０  ８６７  ５６９で開示された空気弁は、実質的に垂直な廃水管の上端での取付けを要求するが、本発明のこの態様による空気弁は、有利なことに、実質的に水平な廃水管での発明的空気弁の取付けを可能にする。
【０１１６】
ＥＰ  ０  ８６７  ５６９の従来技術の空気弁は、実質的に垂直な廃水管の上端での取付けを要求するが、従来技術の空気弁の屋外取付けは、垂直な廃水管が建物の屋根を介して出ること、または要求される実質的に垂直な廃水管を入手するために実質的に水平な排水管の実質的に９０度の屈曲の追加のいずれかを要求するはずである。対照的に、本発明のこの態様による空気弁は、有利なことに、実質的に水平な廃水管での発明的空気弁の取付けを可能にするので、建物の垂直な側壁を介して建物を出ることを可能にされ得る実質的に水平な廃水管に直接に発明的空気弁を取り付けることを可能にする。
【０１１７】
この形で、発明的空気弁は、実質的に水平な廃水管に取り付けられ得、物理的安定性のために、空気弁の本体は、建物の垂直な側壁に取り付けられ得る。したがって、非常に頑健な構造が達成される。
【０１１８】
したがって、廃水管システムを含む建物を構成する時に、本質的に水平に配置される管が、空気弁を据え付けられ得るようになるために垂直接続を設けられる必要がないので、材料は節約され得る。さらに、空気弁は、たとえば、建物の廃水システムに接続される空気弁が、屋根ではなく壁に取り付けられ得るため、屋根領域が物を置かれない状態に保たれ得、したがって屋根空間が他の目的に利用され得るという利益を与える。
【０１１９】
実施形態４は、第１の角度（α）が約６０度から約９０度の範囲内にある、実施形態２または３による空気弁である。
【０１２０】
したがって、ＥＰ  ０  ８６７  ５６９で開示された空気弁は、弁がその開状態にある時に気流の方向の完全な１８０度変更を要求するが、この実施形態による空気弁は、有利なことに、気流がその流れの方向を９０度未満の角度だけ変更することのみを要求すると同時に、最小限の可動部分と、ＥＰ  ０  ８６７  ５６９に従って要求される２つの弁座リングではなく単一の弁座とを有する頑健な空気弁を提供する。したがって、この実施形態は、故障の危険性を最小にすることができると同時に、空気弁の改善された流量を達成し、最小化された個数の可動部分を維持することができる。したがって、空気弁が第２の状態にある時の空気のある種の要求される流れに関して、弁の物理的寸法が、小さく保たれ、これによって、廃水管低圧の等価に関する優れた空気弁機能を維持しながら空間を節約することができる。空気弁の小さい寸法は、空気弁の本体を形成する、プラスティック材料などの材料のより少ない使用をも与え、これによって、低い材料コストを与える。
【０１２１】
実施形態５は、
空気弁出力（１２０）が、廃水システム（５）内の管（２２）に取り付けられるように配置され、管（２２）は、仮想中心線（６）を有し、前記仮想中心線（６）は、第２の仮想平面（Ｂ）に関する所定の第２の角度に配置され、前記所定の第２の角度は、０度から４５度までの範囲内の値を有する
実施形態２または実施形態２に従属する時の任意の先行する実施形態による空気弁（１）である。
【０１２２】
実施形態６は、アダプタ部分（２００）が弁出力（１２０）に取り付けられ、前記アダプタ部分（２００）が、廃水管（５）に取り付けられるように配置される、実施形態１〜実施形態５のいずれかによる空気弁（１）である。
【０１２３】
この解決策は、ある廃水管に適合されたアダプタ部分を使用することによって、同一の空気弁が、異なる寸法を有する廃水管に使用され得るという利点を有する。したがって、空気弁の構造および寸法が、未変更に保たれながら、それでも多数の異なる廃水管に使用され、空気弁の製造コストを節約することができる。
【０１２４】
実施形態７は、前記アダプタ部分（２００）が、本質的に垂直な建物要素に取り付けられるように配置された、実施形態６による空気弁（１）である。
【０１２５】
この解決策は、空気弁の頑健な取付けを提供する。したがって、空気弁は、空気弁が取り付けられる廃水管を含む建物の壁に直接に頑健な形で取り付けられる。この構造は、空気弁の持続可能で頑健な取付けを提供する。さらに、取り付けられた空気弁は、環境を乱さない、空気弁の魅力的な設計を提供する。
【０１２６】
実施形態８は、アダプタ部分（２００）が開口（２１０）を有する突出部（２０５）を含み、各開口（２１０）が、ねじなどの取付けデバイスを受けるように配置された、実施形態６又は実施形態７による空気弁（１）である。
【０１２７】
アダプタ部分は、一態様によれば、取り付けるのが単純な頑健な構造を提供するねじを用いて建物の壁に取り付けられる。
【０１２８】
実施形態９は、
前記水路部分（１８０）は、水路部分壁を含み、前記水路部分壁は、前記水路部分（１８０）を形成するために弁座（１４０）の平面（Ｂ）に実質的に垂直な方向に延び、
平面（Ｂ）に対する法線に沿って弁座（１４０）の平面（Ｂ）から水路部分壁の端までの距離（Ｌ）は、前記水路部分（１８０）の水路部分長さ（Ｌ）を画定し、
前記弁座（１４０）は、前記空気弁入力（１１０）を取り囲み、前記空気弁入力（１１０）は、入口断面積を有し、
水路部分長さ（Ｌ）は、入口断面積の平方根の２０％より長く、水路部分長さ（Ｌ）は、入口断面積の平方根の８０％より短く、
または、
前記水路部分（１８０）は、水路部分壁を含み、前記水路部分壁は、前記水路部分（１８０）を形成するために弁座（１４０）の平面（Ｂ）に実質的に垂直な方向に延び、
平面（Ｂ）に対する法線に沿って弁座（１４０）の平面（Ｂ）から水路部分壁の端までの距離（Ｌ）は、前記水路部分（１８０）の水路部分長さ（Ｌ）を画定し、
前記弁座（１４０）は、前記空気弁入力（１１０）を取り囲み、前記空気弁入力（１１０）は、入口断面積を有し、
水路部分長さ（Ｌ）は、入口断面積の平方根より短く、
または、
前記水路部分（１８０）は、水路部分壁を含み、前記水路部分壁は、前記水路部分（１８０）を形成するために弁座（１４０）の平面（Ｂ）に実質的に垂直な方向に延び、
平面（Ｂ）に対する法線に沿って弁座（１４０）の平面（Ｂ）から水路部分壁の端までの距離（Ｌ）は、前記水路部分（１８０）の水路部分長さ（Ｌ）を画定し、
前記弁座（１４０）は、前記空気弁入力（１１０）を取り囲み、前記空気弁入力（１１０）は、入口断面積を有し、
または、
前記水路部分（１８０）は、水路部分壁を含み、前記水路部分壁は、前記水路部分（１８０）を形成するために弁座（１４０）の平面（Ｂ）に実質的に垂直な方向に延び、
平面（Ｂ）に対する法線に沿って弁座（１４０）の平面（Ｂ）から水路部分壁の端までの距離（Ｌ）は、前記水路部分（１８０）の水路部分長さ（Ｌ）を画定し、
前記弁座（１４０）は、前記空気弁入力（１１０）を取り囲むためにリング形状にされ、前記リング形状の弁座（１４０）は、弁座半径を有し、
水路部分長さ（Ｌ）は、前記弁座半径の３０％より長く、水路部分長さ（Ｌ）は、前記弁座半径の７０％より短い
実施形態１〜実施形態８のいずれかによる空気弁である。
【０１２９】
空気弁入力に取り付けられた水路部分を提供することによって（前記水路部分は、空気弁入口横断面積に関してある長さを有する）、試験は、空気弁が第２の状態にある時に、空気弁が取り付けられる環境からの周囲空気の最適の流れが受け取られ得ることを示した。したがって、空気弁が第２の状態にある時の空気のある種の要求される流れに関して、弁の寸法は、水路部分の長さを適合させることによって小さく保たれ、空間コストおよび材料コストを節約することができる。
【０１３０】
実施形態１０は、前記水路部分（１８０）がじょうご形状の開口（１３５）を有する、実施形態１〜実施形態９のいずれかによる空気弁（１）である。
【０１３１】
水路部分のじょうご形状の開口は、空気弁が第２の状態にある時の、環境からハウジング本体へ、さらに廃水配管システムへの周囲空気の流れをさらに改善する。したがって、空気弁が第２の状態にある時の環境から廃水配管への空気のある種の要求される流れに関して、弁の寸法は、じょうごとして水路部分を成形することによって小さく保たれ、空間コストおよび材料コストを節約することができる。
【０１３２】
実施形態１１は、
前記水路部分（１８０）は、内面（１９０）を有し、
前記可動弁部材（１３１）は、ヘッド部分（１４２）および突出要素（１４３）を含み、ヘッド部分（１４２）は、ハウジング本体（１０５）の内部で可動に配置され、突出要素（１４３）は、支持構造（１５５）内で摺動可能に配置され、支持構造（１５５）は、水路部分（１８０）内に配置され、
支持構造（１５５）は、水路部分（１８０）の内面（１９０）に取り付けられた少なくとも３つの支持部材（１９５）によって水路部分（１８０）内で位置決めされる
実施形態１〜実施形態１０のいずれかによる空気弁（１）である。
【０１３３】
空気弁の状態が変化する時に可動弁部材を支持し、案内するために少なくとも３つの支持部材を使用することによって、空気弁部分の構造に起因して、空気弁の頑健な構造が達成され、それと同時に、空気弁が第２の状態にある時の環境から空気弁への空気の最適の流れは、最小限に乱される。
【０１３４】
実施形態１２は、支持部材（１９５）が、前記支持構造（１５５）から前記内面（１９５）へ半径方向に配置され、第１の弁座（１４０）の位置付けによって画定される仮想平面（Ｂ）内で見られる各支持部材（１９５）の間の角度（β）が等しい、実施形態１１による空気弁（１）である。
【０１３５】
各支持部材の間の角度（β）によって各支持部材を分散させることによって、製造が簡単な頑健な構造が達成される。
【０１３６】
実施形態１３は、４つの支持部材（１９５）を含み、支持部材（１９５）のうちの２つは、方向（Ｄ）に配置され、方向（Ｄ）は、空気弁出力（１２０）の位置付けによって画定される仮想平面（Ａ）に関して４５度の角度にある、実施形態１１又は１２による空気弁（１）である。
【０１３７】
一態様によれば、支持部材の配置は、空気弁が第２の状態にある時の環境から空気弁への空気の気流に影響する。４つの細長い支持部材が使用されるように空気弁を構成することと、空気弁出力１２０の位置付けによって画定される仮想平面Ａに関して４５度の角度にある方向Ｄに細長い支持要素を配置することとによって、効率的な空気弁が達成される。
【０１３８】
実施形態１４は、４つの支持部材（１９５）を含み、支持部材（１９５）のうちの２つは、方向（Ｃ）に配置され、方向（Ｃ）は、空気弁出力（１２０）の位置付けによって画定される仮想平面（Ａ）に対して垂直な角度にある、実施形態１１〜１３のいずれかによる空気弁（１）である。
【０１３９】
一態様によれば、支持部材の配置は、空気弁が第２の状態にある時の環境から空気弁への空気の気流に影響する。４つの細長い支持部材が使用されるように空気弁を構成することと、細長い支持要素を方向Ｃに配置することとによって、空気弁が第２の状態にある時の環境から空気弁への最適の流れ。
【０１４０】
実施形態１５は、３つの支持部材（１９５）を含み、支持部材（１９５）のうちの１つは、方向（Ｅ）に配置され、方向（Ｅ）は、空気弁出力（１２０）の位置付けによって画定される仮想平面（Ａ）に平行な方向にある、実施形態１１又は１２による空気弁（１）である。
【０１４１】
水路部分内に支持構造を位置決めするために３つの支持部材を使用することによって、空気弁が第２の状態にある時に空気弁が取り付けられる環境からの周囲空気の最適の流れが受け取られ得ると同時に、空気弁の頑健な構造が達成される。したがって、この態様によれば、空気弁が第２の状態にある時の空気のある種の要求される流れに関して、弁の寸法は小さく保たれ、空間コストおよび材料コストを節約することができる。さらに、３つの支持部材を使用することによって、空気弁の頑健な構造が受け取られ、位置決め構造はその位置に保たれ、弁部材を適切な形で支持する。
【０１４２】
支持部材をある形で位置付けることによって、空気弁が第２の状態にある時の、空気弁が取り付けられる環境からの周囲空気の流れが受け取られ得る。３つの支持部材のうちの１つを方向Ｅに位置付けることによって、空気弁を通る空気のよい流れが達成される。
【０１４３】
実施形態１６は、支持部材（１９５）のうちの１つが方向（Ｃ）に配置され、方向（Ｃ）は、空気弁出力（１２０）の位置付けによって画定される仮想平面（Ａ）に垂直な方向である、実施形態１１、１２または１５による空気弁（１）である。
【０１４４】
一態様によれば、試験は、空気弁が第２の状態にある時の、空気弁が取り付けられる環境からの周囲空気の最適の流れは、３つの支持部材のうちの１つを方向（Ｃ）に配置することによって達成され得、方向（Ｃ）は、空気弁出力（１２０）の位置付けによって画定される仮想平面（Ａ）に垂直な方向であることを示した。
【０１４５】
実施形態１７は、
実施形態１による空気弁（１）と、
廃水管低圧を等化するために周囲空気が排水管（２２）に入ることを許す開口端を有する排水管（２２）と
を含む廃水配管システムである。
【０１４６】
この解決策は、廃水管内に生じる可能性がある低圧を等化することによって、廃水配管システム内の水封じの完全性を保証することによって臭気を防ぐという有利な効果を有する。
【０１４７】
実施形態１８は、
第１の弁部材表面（１３３）の位置付けが、法線ｎｂを有する仮想平面Ｂを画定する
実施形態１７による廃水配管システムである。
【０１４８】
実施形態１９は、
前記周囲空気が開口端に入る時に、
気流の平均方向は、前記排水管の内壁に平行な方向であり、
気流の前記方向は、仮想平面Ｂに対する法線ｎｂに関して第１の所定の角度（γ）であり、
前記所定の角度（γ）は、１８０度未満の角度である
実施形態１８による廃水配管システムである。
【０１４９】
この解決策は、廃水管内に生じる可能性がある低圧を等化することによって、廃水配管システム内の水封じの完全性を保証することによって臭気を防ぐという有利な効果を有する。さらに、この空気弁は、空気弁の頑健で空間効率のよい取付けを提供する、本質的に水平な廃水管に取り付けられるように配置され得る。この空気弁を用いると、余分な接続、余分な配管、または屈曲が、本質的に水平な廃水管に取り付けられる必要がなく、したがって、材料と設置時間との両方が節約される。
【０１５０】
この空気弁は、たとえば壁に取り付けられ得、したがって、たとえば垂直な管に取り付けられるように配置された空気弁と比較して、非常に頑健な構造が達成される。空気弁が取り付けられる廃水管が水平である場合には、垂直な管に取り付けられるように配置された空気弁を接続できるようにするために、屈曲およびさらなる接続を作成する必要がある。廃水管システムを含む建物を建設する時には、本質的に水平に配置された管が、空気弁を据え付けられ得るようにするために垂直の接続を設けられる必要がないので、材料を節約することができる。さらに、たとえば、建物の廃水システムに接続される空気弁が、屋根ではなく壁に取り付けられ得るため、屋根領域が物を置かれない状態に保たれ得、したがって屋根空間が他の目的に利用され得るという利益を与える。
【０１５１】
さらに、この構造自体は、たとえば、空気弁が第２の状態にあり、囲む空気が空気弁に入ることを許す時に、主気流が１８０度の角度で方向を変更しなければならない、ＥＰ  ０  ８６７  ５６９で開示された空気弁と比較して、空気がより自由に移動することを可能にする。この実施形態による構造を用いると、主気流は、１８０度未満の角度で方向を変更しなければならず、これが、空気弁の流量を改善する。したがって、空気弁が第２の状態にある時の、ある種の要求される空気の流れに関して、弁の寸法は、小さく保たれ、空間コストおよび材料コストを節約することができる。
【０１５２】
実施形態２０は、所定の角度（ガンマ）が４５度〜１３５度の範囲内にある、実施形態１９による廃水配管システムである。
【０１５３】
実施形態２１は、所定の角度（ガンマ）が８０度〜１００度の範囲内にある、実施形態１９による廃水配管システムである。
【０１５４】
実施形態２２は、
空気弁出力（１２０）の横断面は、空気弁（１）が第２の状態にある時に、前記周囲空気が第１の仮想平面（Ａ）に実質的に垂直な平均流れ方向に流れるようにするために、第１の仮想平面（Ａ）を形成し、
弁座（１４０）は、第２の仮想平面（Ｂ）を画定し、
第１の仮想平面（Ａ）は、第１の仮想平面（Ａ）が第２の仮想平面（Ｂ）と平行ではなくなるように、第２の仮想平面（Ｂ）に関して第１の角度（α）に配置される
任意の先行する実施形態による空気弁である。
【０１５５】
空気弁のさらなる例が、以下で例Ｅ１から例Ｅ１４として開示される。
【０１５６】
例Ｅ１。  臭気が廃水配管システムから漏れるのを防ぎながら廃水管低圧を等化する空気弁（１）であって、
弁ハウジング（１００）であって
ハウジング本体（１０５）と、
空気弁入力（１１０）と、
液体トラップ・シールを含むことのできる、下水管などの部分的に空気を充填された廃水管（２２）への接続のための空気弁出力（１２０）と
を含み、前記ハウジング本体（１０５）は、空気弁入力（１１０）と空気弁出力（１２０）との間に位置決めされ、前記ハウジング本体（１０５）は、空気弁入力（１１０）を空気弁出力（１２０）に流体的に接続する水路を形成し、
弁ハウジング（１００）は、
空気弁入力（１１０）に取り付けられた水路部分（１８０）と、
空気弁入力（１１０）に配置され、第１の水路部分（１８０）から前記ハウジング本体（１０５）への入口を囲む弁座（１４０）と、
ハウジング本体（１０５）の内部に可動に配置された可動弁部材（１３１）であって、
水路部分（１８０）および弁座（１４０）に面する弁部材表面（１３３）を有し、
空気弁（１）は、動作中に、周囲の第１の圧力レベル（Ｐ１）と廃水配管システムの第２の圧力レベル（Ｐ２）との間の圧力差（ΔＰ）に依存して第１の状態と第２の状態との間で切り替わることができ、
可動弁部材（１３１）は、前記臭気がハウジング本体（１０５）から出るのを防ぐために空気弁（１）が第１の状態にある時に弁座（１４０）に密閉的に乗るように適合され、
可動弁部材（１３１）は、空気弁（１）が第２の状態にある時にハウジング本体（１０５）内で弁座（１４０）から離れて位置決めされ、前記圧力差（ΔＰ）が所定のしきい値を超える時に廃水管低圧を等化するために周囲空気がハウジング本体（１０５）に入ることを許すように適合され、
空気弁出力（１２０）の横断面は、空気弁（１）が第２の状態にある時に、前記周囲空気が第１の仮想平面（Ａ）に実質的に垂直な平均流れ方向に流れるようにするために、第１の仮想平面（Ａ）を形成し、
弁座（１４０）は、第２の仮想平面（Ｂ）を画定し、
第１の仮想平面（Ａ）は、第２の仮想平面（Ｂ）に関して第１の角度（α）に配置され、第１の角度（α）は、第２の仮想平面（Ｂ）から始まり、第１の仮想平面（Ａ）に達するまで反時計回り方向に回る角度と定義され、
前記第１の角度（α）は、４５度から１３５度までの範囲内の値を有する
可動弁部材（１３１）と
を含む弁ハウジング（１００）と
を含む空気弁（１）。
【０１５７】
したがって、ＥＰ  ０  ８６７  ５６９の空気弁は、実質的に垂直な廃水管の上端での取付けを要求するが、本発明のこの態様による空気弁は、有利なことに、非垂直な廃水管での発明的空気弁の取付けを可能にする。
【０１５８】
上記発明的実施形態による空気弁は、弁の流量を改善する。
【０１５９】
ＥＰ  ０  ８６７  ５６９の従来技術の空気弁は、この従来技術の空気弁が開状態である時にその間で周囲空気が垂直に上向きに流れることのできる２つのリング形状の水平な密閉する隆起と、この従来技術の空気弁が実質的に垂直な廃水管への開状態である時にその周囲空気を垂直に下向きに通す垂直に位置決めされた管継手とを有することに留意されたい。したがって、ＥＰ  ０  ８６７  ５６９の空気弁は、空気弁が開状態である時に気流が流れの方向の１８０度変更を行うことを要求し、ＥＰ  ０  ８６７  ５６９の空気弁は、実質的に垂直な廃水管の上端への取付けに適合されるが、本発明のこの態様による空気弁は、流れの方向の、要求される変更を減らし、非垂直な廃水管での発明的空気弁の取付けをも可能にする。
【０１６０】
実質的に、ＥＰ  ０  ８６７  ５６９で開示された従来技術の空気弁は、実質的に垂直な廃水管の上端での取付けを要求するが、本発明のこの態様による空気弁は、有利なことに、第１の角度（α）が約９０度である時に、実質的に水平な廃水管での発明的空気弁の取付けを可能にする。
【０１６１】
角度（α）を変更することによって、空気弁が接続される廃水管に関する空気弁の最適構造が達成され、最適の気流を有する空気弁を作成することができる。したがって、空気弁が第２の状態にある時の、ある種の要求される空気の流れに関して、弁の寸法は、小さく保たれ、空間コストおよび材料コストを節約することができる。
【０１６２】
この解決策は、廃水管内に生じる可能性がある低圧を等化し、これによって臭気が液体トラップ・シールから漏れることをも防ぐことによって、廃水配管システム内の液体トラップ・シールの完全性を保証するという有利な効果を有する。これは、管内の圧力が周囲圧力より低い時に、空気弁が、低圧を等化するために周囲空気が入ることを許し、したがって、液体トラップ・シール内の液体がそこから吸い出されることを防ぐからである。液体が液体トラップ・シールから吸い出される場合には、廃水管からの空気および下水ガスは、液体トラップ・シールが設置された部屋に自由に進むことを許されるはずである。
【０１６３】
さらに、空気弁出力が、排水管の端部に据え付けられる時に、空気弁は、臭気および／または暖かい湿った空気が排水管の端部から流れ出すのを防ぐことができる。したがって、そのような空気弁の提供は、そのような排水管を屋内で終端しながら臭気が排水管から漏れるのを防ぐことを可能にする。そのような空気弁の提供は、臭気が屋外エンターテイメント区域の空気品質に影響するのを防ぎながら、屋外で、たとえば、たとえばバルコニーまたは屋上などの屋外エンターテイメント区域の付近で終端することをも可能にする。
【０１６４】
さらに、上で定義された空気弁は、前記臭気がハウジング本体から出るのを防ぐために、空気弁が第１の状態にある時に、可動弁部材が弁座に密閉的に乗ることを可能にする有利に頑健な設計を有する。したがって、ＥＰ  ０  ８６７  ５６９の空気弁は、少なくとも２つの弁座リングを必要とするが、上で定義された空気弁は、１つの弁座だけを必要とする可能性がある単純化された設計を可能にする。２つの弁座から１つの弁座への減少は、対応する密閉区域の物理的寸法の大幅な減少を構成し、したがって、空気弁密閉容量の信頼性を高め、漏れの危険性を減らすことができる。
【０１６５】
周囲圧力レベル（Ｐ１）と廃水配管システム圧力レベル（Ｐ２）との間の圧力差（ΔＰ）は、廃水管低圧が等化される所定のしきい低圧値を構成する。空気弁が、動作可能に取り付けられ、その結果、可動弁部材が垂直方向に移動可能になる時に、所定のしきい低圧値は、可動弁部材（１３１）の重量に対応する低圧値とすることができる。実際に、弁を開くのに必要な力は、それぞれ、可動弁部材の重量と、周囲圧力レベル（Ｐ１）を受ける可動弁部材の表面積と、廃水配管システム圧力レベル（Ｐ２）を受ける可動弁部材の表面積とに依存する可能性がある。空気弁の実施形態によれば、所定のしきい低圧値は、液体トラップ・シールから液体を吸い出すのに必要な低圧値より低い圧力値になるように選択され得る。したがって、所定のしきい低圧値は、送水管システム（５）に結合された液体トラップ・シールの物理的寸法に依存して選択され得、所定のしきい低圧値は、関連する液体の密度に依存して選択され得る。液体トラップ・シール内の液体は、たとえば、水とすることができる。
【０１６６】
空気弁の実施形態によれば、所定のしきい低圧値は、１５０パスカルになるように選択され得る。所定のしきい低圧値が１５０パスカルである空気弁の提供は、液体トラップ・シールから液体を吸い出すのに必要な低圧値が、２００パスカルから６００パスカルまでの範囲内など、１５０パスカルより実質的に高い時に適切である可能性がある。したがって、たとえば、液体トラップ・シールから液体を吸い出すのに必要な低圧値が５００Ｐａであり、所定のしきい低圧値が１５０パスカルである時には、有利なことに、３５０Ｐａの安全マージンがある。
【０１６７】
この解決策は、空気弁の頑健で空間効率のよい取付けを提供する、この空気弁が実質的に水平な廃水管に取り付けられることを可能にするという有利な効果を有する。この空気弁を用いると、余分な接続、余分な配管、または屈曲が、本質的に水平な廃水管に取り付けられる必要がなく、したがって、材料と設置時間との両方が節約される。
【０１６８】
したがって、ＥＰ  ０  ８６７  ５６９で開示された空気弁は、実質的に垂直な廃水管の上端での取付けを要求するが、本発明のこの態様による空気弁は、有利なことに、実質的に水平な廃水管での発明的空気弁の取付けを可能にする。
【０１６９】
ＥＰ  ０  ８６７  ５６９の従来技術の空気弁は、実質的に垂直な廃水管の上端での取付けを要求するが、従来技術の空気弁の屋外取付けは、垂直な廃水管が建物の屋根を介して出ること、または要求される実質的に垂直な廃水管を入手するために実質的に水平な排水管の実質的に９０度の屈曲の追加のいずれかを要求するはずである。対照的に、本発明のこの態様による空気弁は、有利なことに、実質的に水平な廃水管での発明的空気弁の取付けを可能にするので、建物の垂直な側壁を介して建物を出ることを可能にされ得る実質的に水平な廃水管に直接に発明的空気弁を取り付けることを可能にする。
【０１７０】
この形で、発明的空気弁は、実質的に水平な廃水管に取り付けられ得、物理的安定性のために、空気弁の本体は、建物の垂直な側壁に取り付けられ得る。したがって、非常に頑健な構造が達成される。
【０１７１】
したがって、廃水管システムを含む建物を構成する時に、本質的に水平に配置される管が、空気弁を据え付けられ得るようになるために垂直接続を設けられる必要がないので、材料は節約され得る。さらに、空気弁は、たとえば、建物の廃水システムに接続される空気弁が、屋根ではなく壁に取り付けられ得るため、屋根領域が物を置かれない状態に保たれ得、したがって屋根空間が他の目的に利用され得るという利益を与える。
【０１７２】
例Ｅ２。  第１の角度（α）が、８５度〜１００度の範囲内にある、例Ｅ１による空気弁。
【０１７３】
この解決策は、空気弁の頑健で空間効率のよい取付けを提供する、この空気弁が実質的に水平な廃水管に取り付けられることを可能にするという有利な効果を有する。この空気弁を用いると、余分な接続、余分な配管、または屈曲が、本質的に水平な廃水管に取り付けられる必要がなく、したがって、材料と設置時間との両方が節約される。
【０１７４】
したがって、ＥＰ  ０  ８６７  ５６９で開示された空気弁は、実質的に垂直な廃水管の上端での取付けを要求するが、本発明のこの態様による空気弁は、有利なことに、実質的に水平な廃水管での発明的空気弁の取付けを可能にする。
【０１７５】
ＥＰ  ０  ８６７  ５６９の従来技術の空気弁は、実質的に垂直な廃水管の上端での取付けを要求するが、従来技術の空気弁の屋外取付けは、垂直な排水管が建物の屋根を介して出ること、または要求される実質的に垂直な廃水管を入手するために実質的に水平な排水管の実質的に９０度の屈曲の追加のいずれかを要求するはずである。対照的に、本発明のこの態様による空気弁は、有利なことに、実質的に水平な廃水管での発明的空気弁の取付けを可能にするので、建物の垂直な側壁を介して建物を出ることを可能にされ得る実質的に水平な廃水管に直接に発明的空気弁を取り付けることを可能にする。
【０１７６】
例Ｅ３。  第１の角度（α）が、実質的に垂直である、任意の先行する例Ｅによる空気弁。
【０１７７】
この解決策は、空気弁の頑健で空間効率のよい取付けを提供する、この空気弁が実質的に水平な廃水管に取り付けられることを可能にするという有利な効果を有する。この空気弁を用いると、余分な接続、余分な配管、または屈曲が、本質的に水平な廃水管に取り付けられる必要がなく、したがって、材料と設置時間との両方が節約される。
【０１７８】
したがって、ＥＰ  ０  ８６７  ５６９で開示された空気弁は、実質的に垂直な廃水管の上端での取付けを要求するが、本発明のこの態様による空気弁は、有利なことに、実質的に水平な廃水管での発明的空気弁の取付けを可能にする。
【０１７９】
ＥＰ  ０  ８６７  ５６９の従来技術の空気弁は、実質的に垂直な廃水管の上端での取付けを要求するが、従来技術の空気弁の屋外取付けは、垂直な排水管が建物の屋根を介して出ること、または要求される実質的に垂直な廃水管を入手するために実質的に水平な排水管の実質的に９０度の屈曲の追加のいずれかを要求するはずである。対照的に、本発明のこの態様による空気弁は、有利なことに、実質的に水平な廃水管での発明的空気弁の取付けを可能にするので、建物の垂直な側壁を介して建物を出ることを可能にされ得る実質的に水平な廃水管に直接に発明的空気弁を取り付けることを可能にする。
【０１８０】
例Ｅ４。
前記水路部分（１８０）は、水路部分壁を含み、前記水路部分壁は、前記水路部分（１８０）を形成するために弁座（１４０）の平面（Ｂ）に実質的に垂直な方向に延び、
平面（Ｂ）に対する法線に沿って弁座（１４０）の平面（Ｂ）から水路部分壁の端までの距離（Ｌ）は、前記水路部分（１８０）の水路部分長さ（Ｌ）を画定し、
弁座（１４０）は、前記空気弁入力（１１０）を取り囲み、前記空気弁入力（１１０）は、入口断面積を有し、
水路部分長さ（Ｌ）は、入口断面積の平方根の２０％より長く、水路部分長さ（Ｌ）は、入口断面積の平方根の８０％より短い
例Ｅ１〜例Ｅ３のいずれかによる空気弁。
【０１８１】
例Ｅ５。
前記水路部分（１８０）は、水路部分壁を含み、前記水路部分壁は、前記水路部分（１８０）を形成するために弁座（１４０）の平面（Ｂ）に実質的に垂直な方向に延び、
平面（Ｂ）に対する法線に沿って弁座（１４０）の平面（Ｂ）から水路部分壁の端までの距離（Ｌ）は、前記水路部分（１８０）の水路部分長さ（Ｌ）を画定し、
前記弁座（１４０）は、前記空気弁入力（１１０）を取り囲むためにリング形状にされ、前記リング形状の弁座（１４０）は、弁座半径を有し、
水路部分長さ（Ｌ）は、前記弁座半径の３０％より長く、水路部分長さ（Ｌ）は、前記弁座半径の７０％より短い
例Ｅ１〜例Ｅ３のいずれかによる空気弁。
【０１８２】
空気弁入力に取り付けられた水路部分を提供することによって（前記水路部分は、空気弁入口横断面積に関してある長さを有する）、試験は、空気弁が第２の状態にある時に、空気弁が取り付けられる環境からの周囲空気の最適の流れが受け取られ得ることを示した。したがって、空気弁が第２の状態にある時の空気のある種の要求される流れに関して、弁の寸法は、水路部分の長さを適合させることによって小さく保たれ、空間コストおよび材料コストを節約することができる。
【０１８３】
例Ｅ６。  前記水路部分（１８０）がじょうご形状の開口（１３５）を有する、例Ｅ１〜例Ｅ５のいずれかによる空気弁（１）。
【０１８４】
水路部分のじょうご形状の開口は、空気弁が第２の状態にある時の、環境からハウジング本体へ、さらに廃水配管システムへの周囲空気の流れをさらに改善する。したがって、空気弁が第２の状態にある時の環境から廃水配管への空気のある種の要求される流れに関して、弁の寸法は、じょうごとして水路部分を成形することによって小さく保たれ、空間コストおよび材料コストを節約することができる。
【０１８５】
例Ｅ７。
前記水路部分（１８０）は、内面（１９０）を有し、
前記可動弁部材（１３１）は、ヘッド部分（１４２）および突出要素（１４３）を含み、ヘッド部分（１４２）は、ハウジング本体（１０５）の内部で可動に配置され、突出要素（１４３）は、支持構造（１５５）内で摺動可能に配置され、支持構造（１５５）は、水路部分（１８０）内に配置され、
支持構造（１５５）は、水路部分（１８０）の内面（１９０）に取り付けられた少なくとも３つの支持部材（１９５）によって水路部分（１８０）内で位置決めされる
例Ｅ１〜例Ｅ６のいずれかによる空気弁（１）。
【０１８６】
空気弁の状態が変化する時に可動弁部材を支持し、案内するために少なくとも３つの支持部材を使用することによって、空気弁部分の構造に起因して、空気弁が第２の状態にある時の環境から空気弁への空気の最適の流れが、受け取られ、空気弁の頑健な構造が達成される。
【０１８７】
空気弁の状態が変化する時に可動弁部材を支持し、案内するために少なくとも３つの支持部材を使用することによって、頑健で安定した構造が達成され、それと同時に、空気弁が第２の状態にある時の環境から空気弁への空気の流れ内に配置された構造要素に起因する気流に対する最小限の乱れが、達成される。
【０１８８】
水路部分内に支持構造を位置決めするために３つの支持部材を使用することによって、空気弁が第２の状態にある時に空気弁が取り付けられる環境からの周囲空気の最適の流れが受け取られ得ると同時に、空気弁の頑健な構造が達成される。したがって、この態様によれば、空気弁が第２の状態にある時の空気のある種の要求される流れに関して、弁の寸法は小さく保たれ、空間コストおよび材料コストを節約することができる。さらに、３つの支持部材を使用することによって、空気弁の頑健な構造が受け取られ、位置決め構造はその位置に保たれ、弁部材を適切な形で支持する。
【０１８９】
支持部材をある形で位置付けることによって、空気弁が第２の状態にある時の、空気弁が取り付けられる環境からの周囲空気の流れが受け取られ得る。３つの支持部材のうちの１つを方向Ｅに位置付けることによって、空気弁を通る空気のよい流れが達成される。
【０１９０】
例Ｅ８。  支持部材（１９５）のうちの１つが方向（Ｃ）に配置され、方向（Ｃ）は、第１の平面（Ａ）に垂直な方向にあり、支持部材（１９５）は、支持構造（１５５）から空気弁出力（１２０）に向かって延びる、例Ｅ１〜例Ｅ７のいずれかによる空気弁（１）。
【０１９１】
一態様によれば、試験は、空気弁が第２の状態にある時の、空気弁が取り付けられる環境からの周囲空気の最適の流れは、３つの支持部材のうちの１つを、支持部材から空気弁出力に向かって延びる方向（Ｃ）に配置することによって達成され得、方向（Ｃ）は、空気弁出力（１２０）の位置付けによって画定される仮想平面（Ａ）に垂直な方向であることを示した。
【０１９２】
例Ｅ９。  アダプタ部分（２００）が弁出力（１２０）に取り付けられ、前記アダプタ部分（２００）は、廃水管（５）に取り付けられるように配置される、例Ｅ１〜例Ｅ８のいずれかによる空気弁（１）。
【０１９３】
この解決策は、空気弁が第２の状態にある時に空気弁が取り付けられる環境からの周囲空気の最適の流れを提供する。この解決策は、空気弁の頑健な取付けを提供する。したがって、空気弁は、空気弁が取り付けられる廃水管を含む建物の壁に直接に頑健な形で取り付けられる。この構造は、空気弁の持続可能で頑健な取付けを提供する。さらに、取り付けられた空気弁は、環境を乱さない、空気弁の魅力的な設計を提供する。
【０１９４】
例Ｅ１０。  所定のしきい値が、液体トラップ・シールから液体を吸い出すのに必要な圧力値より低い圧力値になるように選択され得る、例Ｅ１〜例Ｒ９のいずれかによる空気弁。
【０１９５】
この解決策は、廃水管内に生じる可能性がある低圧を等化し、これによって臭気が液体トラップ・シールから漏れることをも防ぐことによって、廃水配管システム内の液体トラップ・シールの完全性を保証するという有利な効果を有する。これは、管内の圧力が周囲圧力より低い時に、空気弁が、低圧を等化するために周囲空気が入ることを許し、したがって、液体トラップ・シール内の液体がそこから吸い出されることを防ぐからである。液体が液体トラップ・シールから吸い出される場合には、廃水管からの空気および下水ガスは、液体トラップ・シールが設置された部屋に自由に進むことを許されるはずである。
【０１９６】
例Ｅ１１。  所定のしきい値が、可動弁部材（１３１）の重量に対応する値である、例Ｅ１〜例Ｅ１０のいずれかによる空気弁（１）。
【０１９７】
空気弁が、動作可能に取り付けられ、その結果、可動弁部材が垂直方向に移動可能になる時に、所定のしきい低圧値は、可動弁部材（１３１）の重量に対応する低圧値とすることができる。実際に、弁を開くのに必要な力は、それぞれ、可動弁部材の重量と、周囲圧力レベル（Ｐ１）を受ける可動弁部材の表面積と、廃水配管システム圧力レベル（Ｐ２）を受ける可動弁部材の表面積とに依存する可能性がある。空気弁の実施形態によれば、所定のしきい低圧値は、液体トラップ・シールから液体を吸い出すのに必要な低圧値より低い圧力値になるように選択され得る。したがって、所定のしきい低圧値は、送水管システム（５）に結合された液体トラップ・シールの物理的寸法に依存して選択され得、所定のしきい低圧値は、関連する液体の密度に依存して選択され得る。液体トラップ・シール内の液体は、たとえば、水とすることができる。
【０１９８】
例Ｅ１２。  所定のしきい値が、１５０パスカル未満である、例Ｅ１〜例Ｅ１１のいずれかによる空気弁（１）。
【０１９９】
空気弁の実施形態によれば、所定のしきい低圧値は、１５０パスカルまたは１５０パスカル未満になるように選択され得る。所定のしきい低圧値が１５０パスカルまたは１５０パスカル未満である空気弁の提供は、液体トラップ・シールから液体を吸い出すのに必要な低圧値が、２００パスカルから６００パスカルまでの範囲内など、１５０パスカルより実質的に高い時に適切である可能性がある。したがって、たとえば、液体トラップ・シールから液体を吸い出すのに必要な低圧値が５００Ｐａであり、所定の低圧値が１５０パスカルである時には、有利なことに、３５０Ｐａの安全マージンがある。
【０２００】
この解決策は、空気弁の頑健で空間効率のよい取付けを提供する、この空気弁が実質的に水平な廃水管に取り付けられることを可能にするという有利な効果を有する。この空気弁を用いると、余分な接続、余分な配管、または屈曲が、本質的に水平な廃水管に取り付けられる必要がなく、したがって、材料と設置時間との両方が節約される。
【０２０１】
例Ｅ１３。  所定のしきい値が、２５０パスカル未満である、例Ｅ１〜例Ｅ７のいずれかに記載の空気弁（１）。
【０２０２】
例Ｅ１４。
前記廃水管（２２）と
廃水管低圧を等化するための、先行する例Ｅ１〜例Ｅ１３のいずれかによる空気弁（１）と
を含む廃水配管システム。
【図１】
2020501042.tif 000003
【図２】
2020501042.tif 000004
【図３】
2020501042.tif 000005
【図４】
2020501042.tif 000006
【図５ａ】
2020501042.tif 000007
【図５ｂ】
2020501042.tif 000008
【図５ｃ】
2020501042.tif 000009
【図６】
2020501042.tif 000010
【図７ａ】
2020501042.tif 000011
【図７ｂ】
2020501042.tif 000012
【図８】
2020501042.tif 000013
【図９】
2020501042.tif 000014
【図１０ａ−１０ｂ】
2020501042.tif 000015
【図１１ａ−１１ｃ】
2020501042.tif 000016
【図１２Ａ】
2020501042.tif 000017
【図１２Ｂ】
2020501042.tif 000018
【図１３】
2020501042.tif 000019
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
廃水配管システム（５）であって、
液体トラップ・シール（２５）を含むことのできる、下水管などの非垂直な廃水管（２２）と、
アダプタ（２００）と、
臭気が前記廃水配管システム（５）から漏れるのを防ぎながら、所定のしきい低圧値を超える廃水管低圧を等化する空気弁（１）と、を備え、
前記空気弁（１）は、弁ハウジング（１００）を有し、
前記弁ハウジング（１００）は、
ハウジング本体（１０５）と、
空気弁入力（１１０）と、
空気弁出力（１２０）と、
を含み、前記ハウジング本体（１０５）は、前記空気弁入力（１１０）と前記空気弁出力（１２０）との間に位置決めされ、前記ハウジング本体（１０５）は、前記空気弁入力（１１０）を前記空気弁出力（１２０）に流体的に接続する水路を形成し、
前記弁ハウジング（１００）は、
前記空気弁入力（１１０）に取り付けられた水路部分（１８０）と、
前記空気弁入力（１１０）に配置され、第１の水路部分（１８０）から前記ハウジング本体（１０５）への入口を囲む弁座（１４０）と、
前記ハウジング本体（１０５）の内部に可動に配置された可動弁部材（１３１）と、
をさらに含み、前記可動弁部材（１３１）は、前記水路部分（１８０）および前記弁座（１４０）に面する弁部材表面（１３３）を有し、
前記空気弁（１）は、動作中に、周囲の第１の圧力レベル（Ｐ１）と廃水配管システムの第２の圧力レベル（Ｐ２）との間の圧力差（ΔＰ）に依存して第１の状態と第２の状態との間で切り替わることができ、
前記可動弁部材（１３１）は、前記臭気が前記ハウジング本体（１０５）から出るのを防ぐために前記空気弁（１）が前記第１の状態にある時に前記弁座（１４０）に密閉的に乗るように適合され、
前記可動弁部材（１３１）は、前記弁（１）が前記第２の状態にある時に前記ハウジング本体（１０５）内で前記弁座（１４０）から離れて位置決めされ、前記圧力差（ΔＰ）が前記所定のしきい低圧値を超える時に廃水管低圧を等化するために周囲空気が前記ハウジング本体（１０５）に入ることを許すように適合され、
前記空気弁出力（１２０）の横断面は、前記空気弁（１）が前記第２の状態にある時に、前記周囲空気が第１の仮想平面（Ａ）に実質的に垂直な出力平均流れ方向（ＭＡ）に流れるようにするために、前記第１の仮想平面（Ａ）を形成し、
前記弁座（１４０）は、第２の仮想平面（Ｂ）を画定し、
前記第１の仮想平面（Ａ）は、前記第２の仮想平面（Ｂ）に関して第１の角度（α）に配置され、前記第１の角度（α）は、４５度から１３５度までの範囲内の値を有し、
前記空気弁出力（１２０）は、前記空気弁（１）が建物（１０）の垂直壁（２６）の外側に取り付けられるようにするために、前記非垂直な廃水管（２２）の端部（２２Ａ）に前記アダプタ（２００）を介して接続される、廃水配管システム（５）。
【請求項２】
前記アダプタ（２００）は、前記空気弁（１）が前記第２の状態にある時に、前記周囲空気が前記第１の仮想平面（Ａ、Ａ’）に垂直な前記平均流れ方向で前記アダプタを介して前記非垂直な廃水管（２２）内に流れるように成形される、請求項１に記載の廃水配管システム（５）。
【請求項３】
前記空気弁（１）および前記アダプタ（２００）は、前記空気弁（１）が前記第２の状態にある時に、
前記周囲空気が、前記空気弁入力（１１０）を介して前記空気弁（１）内に入力平均流れ方向（ＭＣ）で流れ、その後、
前記周囲空気が、前記出力平均流れ方向（ＭＡ）で前記非垂直な廃水管（２２）に入るために前記空気弁（１）を介し、前記アダプタ（２００）を介して流れ、
平均流れ方向の変化を与え、平均流れ方向の前記変化は、１８０度未満であり、平均流れ方向の前記変化は、前記入力平均流れ方向と前記出力平均流れ方向との間の角度差である
ように成形され、組み立てられる、請求項１または２に記載の廃水配管システム（５）。
【請求項４】
平均流れ方向の前記変化は、１８０度未満である、請求項３に記載の廃水配管システム（５）。
【請求項５】
平均流れ方向の前記変化は、１３５度未満である、請求項３に記載の廃水配管システム（５）。
【請求項６】
平均流れ方向の前記変化は、少なくとも４５度である、請求項３に記載の廃水配管システム（５）。
【請求項７】
前記非垂直な廃水管（２２）は、平行な対向する内側側壁に沿った伸長方向（Ｅ２２）を有し、
前記空気弁出力（１２０）は、前記弁座（１４０）の前記平面（Ｂ）が前記伸長方向（Ｅ２２）に関して所定の角度（ｗ）に配置され、前記所定の角度（ｗ）が、−４５度から＋４５度の間の範囲内の値を有するようにするために、前記アダプタ（２００）を介して前記非垂直な廃水管（２２）の前記端部に接続される、請求項１から６のいずれかに記載の廃水配管システム（５）。
【請求項８】
前記非垂直な廃水管（２２）は、建物の下階生活空間の天井（２７）と前記廃水管（２２）に接続された複数の廃水ジェネレータ（２１）を担持することができる床構造（２０）との間を延びる、請求項１から７のいずれかに記載の廃水配管システム（５）。
【請求項９】
前記廃水管（２２）に入る廃水が、重力（ＦＧ）に起因して、前記非垂直な廃水管（２２）が接続される廃水導管（２３）に向かって流れ、これによって、廃水出口（２４）に廃水を送ることを可能にするようになるように、前記非垂直な廃水管（２２）は、水平方向（ｘ）に関して傾斜角（ｖ）に配置される、請求項１から８のいずれかに記載の廃水配管システム（５）。
【請求項１０】
前記傾斜角（ｖ）は、１０度未満である、請求項１から９のいずれかに記載の廃水配管システム（５）。
【請求項１１】
前記傾斜角（ｖ）は、５．７度未満である、請求項１から１０のいずれかに記載の廃水配管システム（５）。
【請求項１２】
前記非垂直な廃水管の端部（２２Ａ）は、内部管表面を有し、
前記アダプタ（２００）は、前記管の端部（２２Ａ）に挿入され、前記廃水管（２２）の内部に取り付けられる突出部分（２００Ａ）を有する、請求項１から１１のいずれかに記載の廃水配管システム（５）。
【請求項１３】
前記非垂直な廃水管（２２）は、外部管表面を有し、
前記アダプタ（２００）は、前記外部管表面を取り囲むように適合され、前記外部管表面の少なくとも一部に取り付けられるように適合された突出部分（２００Ａ）を有する、請求項１から１２のいずれかに記載の廃水配管システム（５）。
【請求項１４】
臭気が前記廃水配管システム（５）から漏れるのを防ぐために、少なくとも１つの密閉する要素は、前記アダプタの前記突出部分（２００Ａ）と前記非垂直な廃水管の端部（２２Ａ）との間に設けられる、請求項１から１３のいずれかに記載の廃水配管システム（５）。
【請求項１５】
管（２２）を含む配管システム（５）内の所定のしきい低圧値を超える管低圧を等化する空気弁（１）であって、
弁ハウジング（１００）を有し、
前記弁ハウジング（１００）は、
ハウジング本体（１０５）と、
弁入力（１１０）と、
前記管（２２）への接続のための弁出力（１２０）と、
を含み、前記ハウジング本体（１０５）は、前記弁入力（１１０）と前記弁出力（１２０）との間に位置決めされ、前記ハウジング本体（１０５）は、前記弁入力（１１０）を前記弁出力（１２０）に流体的に接続する水路を形成し、
前記弁ハウジング（１００）は、
前記弁入力（１１０）に取り付けられた水路部分（１８０）と、
前記弁入力（１１０）に配置され、第１の水路部分（１８０）から前記ハウジング本体（１０５）への入口を囲む弁座（１４０）と、
前記ハウジング本体（１０５）の内部に可動に配置された可動弁部材（１３１）と、
をさらに含み、前記可動弁部材（１３１）は、前記水路部分（１８０）および前記弁座（１４０）に面する弁部材表面（１３３）を有し、
前記弁（１）は、動作中に、周囲の第１の圧力レベル（Ｐ１）と配管システムの第２の圧力レベル（Ｐ２）との間の圧力差（ΔＰ）に依存して第１の状態と第２の状態との間で切り替わることができ、
前記可動弁部材（１３１）は、前記弁（１）が前記第１の状態にある時に前記弁座（１４０）に密閉的に乗るように適合され、
前記可動弁部材（１３１）は、前記弁（１）が前記第２の状態にある時に前記ハウジング本体（１０５）内で前記弁座（１４０）から離れて位置決めされ、前記圧力差（ΔＰ）が前記所定のしきい値を超える時に管低圧を等化するために周囲空気が前記ハウジング本体（１０５）に入ることを許すように適合され、
前記空気弁出力（１２０）の横断面は、前記弁（１）が前記第２の状態にある時に、前記周囲空気が第１の仮想平面（Ａ）に実質的に垂直な出力平均流れ方向（ＭＡ）に流れるようにするために、前記第１の仮想平面（Ａ）を形成し、
前記弁座（１４０）は、第２の仮想平面（Ｂ）を画定し、
前記第１の仮想平面（Ａ）は、前記第２の仮想平面（Ｂ）に関して第１の角度（α）に配置され、前記第１の角度（α）は、４５度から１３５度までの範囲内の値を有し、
Ａ）前記所定のしきい低圧値は、所定の下水管低圧値であり、
Ｂ）前記弁は、空気、下水ガス、および臭気が液体トラップ・シール（２５）を含むことのできる非垂直な下水管（２２）を含む下水配管システム（５）から漏れるのを防ぎながら、前記所定の下水管低圧値を超える下水管低圧を等化するように適合された空気弁（１）であり、
Ｃ）前記弁出力は、前記非垂直な下水管（２２）への接続のための空気弁出力（１２０）であり、
Ｄ）動作中の前記空気弁（１）が、前記周囲の第１の圧力レベル（Ｐ１）と前記下水配管システムの第２の圧力レベル（Ｐ２）との間の圧力差（ΔＰ）に依存して前記第１の状態と前記第２の状態との間で切り替わることができるようにするために、前記第２の圧力レベル（Ｐ２）は、下水配管システムの第２の圧力レベル（Ｐ２）であり、
Ｄ１）前記可動弁部材（１３１）は、空気、下水ガス、および臭気が前記ハウジング本体（１０５）を介して前記下水配管システム（５）から出るのを防ぐために、前記空気弁（１）が前記第１の状態にある時に前記弁座（１４０）に密閉的に乗るように適合され、
Ｄ２）前記可動弁部材（１３１）は、前記空気弁（１）が前記第２の状態にある時に前記ハウジング本体（１０５）内で前記弁座（１４０）から離れて位置決めされ、前記圧力差（ΔＰ）が前記所定の下水管低圧値を超える時に下水管低圧を等化するために周囲空気が前記ハウジング本体（１０５）に入ることを許すように適合され、
Ｅ）前記空気弁出力（１２０）は、前記空気弁（１）が建物（１０）の垂直壁（２６）の外側に取り付け可能になるようにするために、前記非垂直な下水管（２２）の端部（２２Ａ）にアダプタ（２００）を介して解放可能な形で接続可能である、空気弁（１）。
【国際調査報告】
2020501042.tif 000020
2020501042.tif 000021
2020501042.tif 000022
2020501042.tif 000023
2020501042.tif 000024